(57)【特許請求の範囲】
【請求項１】
第1の近接サービス（ProSe）エンティティによって、第1の端末により送信される第1のメッセージを受信するステップであって、前記第1のメッセージは、前記第1の端末によって監視されるべき端末が位置されるグループのグループ識別子を運ぶ、ステップと、
前記グループ識別子にしたがって前記第1のProSeエンティティにより、前記第1の端末によって監視されるべき前記端末が位置される前記グループのグループコードワードを取得するステップと、
前記第1のProSeエンティティによって、前記第1の端末に第2のメッセージを送信するステップであって、前記第2のメッセージが前記グループコードワードを運ぶ、ステップと、
前記第1のProSeエンティティによって、前記第1の端末により送信される第3のメッセージを受信するステップであって、前記第3のメッセージが少なくとも1つの第1のブロードキャストコードワードを運び、前記第1のブロードキャストコードワードは、前記第1の端末により検出されるブロードキャストコードワードのうちの1つであるとともに前記グループコードワードを備えるブロードキャストコードワードであり、前記第1のブロードキャストコードワードは、前記第1のブロードキャストコードワードをブロードキャストする端末のユーザコードワードを更に備える、ステップと、
前記ユーザコードワードにしたがって前記第1のProSeエンティティにより、前記第1のブロードキャストコードワードをブロードキャストする前記端末の端末識別子を取得するとともに、前記第1の端末に第4のメッセージを送信するステップであって、前記第4のメッセージが前記端末識別子を運ぶ、ステップと、
を含む端末発見方法であって、
前記グループ識別子は、前記第1の端末によって監視されるべき前記端末が位置される前記グループに対してアプリケーションサーバにより割り当てられる仮識別子であり、前記端末識別子は、前記第1のブロードキャストコードワードをブロードキャストする前記端末に対して前記アプリケーションサーバにより割り当てられる仮識別子である、方法。
【請求項２】
前記グループ識別子にしたがって前記第1のProSeエンティティにより、前記第1の端末によって監視されるべき前記端末が位置される前記グループのグループコードワードを取得する前記ステップは、
前記第1のProSeエンティティによって、第5のメッセージをアプリケーションサーバに送信するステップであって、前記第5のメッセージが前記グループ識別子を運び、前記第5のメッセージは、前記第1の端末によって監視されるべき前記端末が位置される前記グループにコードワードを割り当てるように前記アプリケーションサーバに要求するために使用される、ステップと、
前記第1のProSeエンティティによって、前記アプリケーションサーバにより送信される第6のメッセージを受信するステップであって、前記第6のメッセージが前記グループコードワードを運ぶ、ステップと、
を含む請求項1に記載の方法。
【請求項３】
前記グループ識別子にしたがって前記第1のProSeエンティティにより、前記第1の端末によって監視されるべき前記端末が位置される前記グループのグループコードワードを取得する前記ステップは、
前記第1のProSeエンティティにより、前記グループ識別子にしたがって前記グループコードワードを生成するステップを含む請求項1に記載の方法。
【請求項４】
前記第1の端末と第2の端末とが異なるホーム公衆陸上移動体ネットワーク（HPLMN）に属し、前記第2の端末は、前記第1の端末によって監視されるべき前記端末が位置される前記グループのグループ管理装置であり、前記グループ識別子にしたがって前記第1のProSeエンティティにより、前記第1の端末によって監視されるべき前記端末が位置される前記グループのグループコードワードを取得する前記ステップは、
前記第1のProSeエンティティによって、第7のメッセージを第2のProSeエンティティに送信するステップであって、前記第7のメッセージが前記グループ識別子を運び、前記第7のメッセージは、前記第1の端末によって監視されるべき前記端末が位置される前記グループにコードワードを割り当てるように前記第2のProSeエンティティに要求するために使用され、前記第2のProSeエンティティが前記第2の端末のHPLMN内のProSeエンティティである、ステップと、
前記第1のProSeエンティティによって、前記第2のProSeエンティティにより送信される第8のメッセージを受信するステップであって、前記第8のメッセージが前記グループコードワードを運ぶ、ステップと、
を含む請求項1に記載の方法。
【請求項５】
第1の端末によって、第1のメッセージを第1の近接サービス（ProSe）エンティティに送信するステップであって、前記第1のメッセージは、前記第1の端末によって監視されるべき端末が位置されるグループのグループ識別子を運ぶ、ステップと、
前記第1の端末によって、前記第1のProSeエンティティにより送信される第2のメッセージを受信するステップであって、前記第2のメッセージは、前記第1の端末によって監視されるべき前記端末が位置される前記グループのグループコードワードを運ぶ、ステップと、
前記第1の端末によって、前記グループコードワードを使用することにより、前記第1の端末により検出されるブロードキャストコードワードをフィルタリングして、少なくとも1つの第1のブロードキャストコードワードを取得するステップであって、前記第1のブロードキャストコードワードが前記グループコードワードを備える、ステップと、
前記第1の端末によって、第3のメッセージを前記第1のProSeエンティティに送信するステップであって、前記第3のメッセージが前記少なくとも1つの第1のブロードキャストコードワードを運ぶ、ステップと、
前記第1の端末によって、前記第1のProSeエンティティにより送信される第4のメッセージを受信するステップであって、前記第4のメッセージは、前記第1のブロードキャストコードワードをブロードキャストする端末の端末識別子を運ぶ、ステップと、
を含む端末発見方法であって、
前記グループ識別子は、前記第1の端末によって監視されるべき前記端末が位置される前記グループに対してアプリケーションサーバにより割り当てられる仮識別子であり、前記端末識別子は、前記第1のブロードキャストコードワードをブロードキャストする前記端末に対して前記アプリケーションサーバにより割り当てられる仮識別子である、
方法。
【請求項６】
第3の近接サービスProSeエンティティによって、第3の端末により送信される第9のメッセージを受信するステップであって、前記第9のメッセージは、前記第3の端末の端末識別子と、前記第3の端末が位置されるグループのグループ識別子とを運ぶ、ステップと、
前記グループ識別子にしたがって前記第3のProSeエンティティにより、前記第3の端末が位置される前記グループのグループコードワードを取得するとともに、前記第3の端末の前記端末識別子にしたがってユーザコードワードを前記第3の端末に割り当てるステップと、
前記第3のProSeエンティティによって、前記グループコードワード及び前記ユーザコードワードを使用することにより、第1のブロードキャストコードワードを生成するステップと、
前記第3のProSeエンティティによって、第10のメッセージを前記第3の端末に送信するステップであって、前記第10のメッセージが前記第1のブロードキャストコードワードを運び、前記第10のメッセージは、前記第1のブロードキャストコードワードをブロードキャストするように前記第3の端末に指示するために使用される、ステップと、
を含む端末発見方法であって、
前記グループ識別子は、前記第3の端末が位置される前記グループに対してアプリケーションサーバにより割り当てられる仮識別子であり、前記第3の端末の前記端末識別子は、前記アプリケーションサーバによって前記第3の端末に割り当てられる仮識別子である、
方法。
【請求項７】
前記グループ識別子にしたがって前記第3のProSeエンティティにより、前記第3の端末が位置される前記グループのグループコードワードを取得する前記ステップは、
前記第3のProSeエンティティによって、第11のメッセージをアプリケーションサーバに送信するステップであって、前記第11のメッセージが前記グループ識別子を運び、前記第11のメッセージは、前記第3の端末が位置される前記グループにコードワードを割り当てるように前記アプリケーションサーバに要求するために使用される、ステップと、
前記第3のProSeエンティティによって、前記アプリケーションサーバにより送信される第12のメッセージを受信するステップであって、前記第12のメッセージが前記グループコードワードを運ぶ、ステップと、
を含む請求項6に記載の方法。
【請求項８】
前記グループ識別子にしたがって前記第3のProSeエンティティにより、前記第3の端末が位置される前記グループのグループコードワードを取得する前記ステップは、
前記第3のProSeエンティティにより、前記グループ識別子にしたがって前記グループコードワードを生成するステップを含む請求項6に記載の方法。
【請求項９】
前記第3の端末と第2の端末とが異なるホーム公衆陸上移動体ネットワークHPLMNに属し、前記第2の端末は、前記第3の端末が位置される前記グループのグループ管理装置であり、前記グループ識別子にしたがって前記第3のProSeエンティティにより、前記第3の端末が位置される前記グループのグループコードワードを取得する前記ステップは、
前記第3のProSeエンティティによって、第13のメッセージを第2のProSeエンティティに送信するステップであって、前記第13のメッセージが前記グループ識別子を運び、前記第13のメッセージは、前記第3の端末が位置される前記グループにコードワードを割り当てるように前記第2のProSeエンティティに要求するために使用され、前記第2のProSeエンティティが前記第2の端末のHPLMN内のProSeエンティティである、ステップと、
前記第3のProSeエンティティによって、前記第2のProSeエンティティにより送信される第14のメッセージを受信するステップであって、前記第14のメッセージが前記グループコードワードを運ぶ、ステップと、
を含む請求項6に記載の方法。
【請求項１０】
第3の端末によって、第9のメッセージを第3の近接サービスProSeエンティティに送信するステップであって、前記第9のメッセージは、前記第3の端末の端末識別子と、前記第3の端末が位置されるグループのグループ識別子とを運ぶ、ステップと、
前記第3の端末によって、前記第3のProSeエンティティにより送信される第10のメッセージを受信するステップであって、前記第10のメッセージが第1のブロードキャストコードワードを運び、前記第1のブロードキャストコードワードは、前記第3の端末が位置される前記グループのグループコードワードと、前記第3の端末のユーザコードワードとを備える、ステップと、
前記第3の端末によって前記第1のブロードキャストコードワードをブロードキャストするステップと、
を含む端末発見方法であって、
前記グループ識別子は、前記第3の端末が位置される前記グループに対してアプリケーションサーバにより割り当てられる仮識別子であり、前記第3の端末の前記端末識別子は、前記アプリケーションサーバによって前記第3の端末に割り当てられる仮識別子である方法。
【請求項１１】
第1の近接サービス（ProSe）エンティティの機能を実装するための装置であって、
第1の端末により送信される第1のメッセージを受信するように構成される受信器であって、前記第1のメッセージは、前記第1の端末によって監視されるべき端末が位置されるグループのグループ識別子を運ぶ、受信器と、
前記グループ識別子にしたがって、前記第1の端末によって監視されるべき前記端末が位置される前記グループのグループコードワードを取得するように構成されるプロセッサと、
前記第1の端末に第2のメッセージを送信するように構成される送信器であって、前記第2のメッセージが前記グループコードワードを運ぶ、送信器と、
を備え、
前記受信器は、前記第1の端末により送信される第3のメッセージを受信するように更に構成され、前記第3のメッセージが少なくとも1つの第1のブロードキャストコードワードを運び、前記第1のブロードキャストコードワードは、前記第1の端末により検出されるブロードキャストコードワードのうちの1つであるとともに前記グループコードワードを備えるブロードキャストコードワードであり、前記第1のブロードキャストコードワードは、前記第1のブロードキャストコードワードをブロードキャストする端末のユーザコードワードを更に備え、
前記プロセッサは、前記ユーザコードワードにしたがって、前記第1のブロードキャストコードワードをブロードキャストする前記端末の端末識別子を取得するように更に構成され、
前記送信器は、前記第1の端末に第4のメッセージを送信するように更に構成され、前記第4のメッセージが前記端末識別子を運ぶ、
装置であって、
前記グループ識別子は、前記第1の端末によって監視されるべき前記端末が位置される前記グループに対してアプリケーションサーバにより割り当てられる仮識別子であり、前記端末識別子は、前記第1のブロードキャストコードワードをブロードキャストする前記端末に対して前記アプリケーションサーバにより割り当てられる仮識別子である
装置。
【請求項１２】
前記送信器は、第5のメッセージをアプリケーションサーバに送信するように更に構成され、前記第5のメッセージが前記グループ識別子を運び、前記第5のメッセージは、前記
第1の端末によって監視されるべき前記端末が位置される前記グループにコードワードを割り当てるように前記アプリケーションサーバに要求するために使用され、
前記受信器は、前記アプリケーションサーバにより送信される第6のメッセージを受信するように更に構成され、前記第6のメッセージが前記グループコードワードを運ぶ、
請求項11に記載の装置。
【請求項１３】
前記プロセッサは、前記グループ識別子にしたがって前記グループコードワードを生成するように特に構成される請求項11に記載の装置。
【請求項１４】
前記送信器は第7のメッセージを第2のProSeエンティティに送信するように更に構成され、前記第7のメッセージが前記グループ識別子を運び、前記第7のメッセージは、前記第1の端末によって監視されるべき前記端末が位置される前記グループにコードワードを割り当てるように前記第2のProSeエンティティに要求するために使用され、前記第2のProSeエンティティが第2の端末のホーム公衆陸上移動体ネットワーク（HPLMN）内のProSeエンティティであり、前記第2の端末は、前記第1の端末によって監視されるべき前記端末が位置される前記グループのグループ管理装置であり、
前記受信器は、前記第2のProSeエンティティにより送信される第8のメッセージを受信するように更に構成され、前記第8のメッセージが前記グループコードワードを運ぶ、
請求項11に記載の装置。
【請求項１５】
第1の端末であって、
第1のメッセージを第1の近接サービス（ProSe）エンティティに送信するように構成される送信器であって、前記第1のメッセージは、前記第1の端末によって監視されるべき端末が位置されるグループのグループ識別子を運ぶ、送信器と、
前記第1のProSeエンティティにより送信される第2のメッセージを受信するように構成される受信器であって、前記第2のメッセージは、前記第1の端末によって監視されるべき前記端末が位置される前記グループのグループコードワードを運ぶ、受信器と、
前記グループコードワードを使用することにより、前記第1の端末により検出されるブロードキャストコードワードをフィルタリングして、少なくとも1つの第1のブロードキャストコードワードを取得するように構成されるプロセッサであって、前記第1のブロードキャストコードワードが前記グループコードワードを備える、プロセッサと、
を備え、
前記送信器は、第3のメッセージを前記第1のProSeエンティティに送信するように更に構成され、前記第3のメッセージが前記少なくとも1つの第1のブロードキャストコードワードを運び、
前記受信器は、前記第1のProSeエンティティにより送信される第4のメッセージを受信するように更に構成され、前記第4のメッセージは、前記第1のブロードキャストコードワードをブロードキャストする端末の端末識別子を運ぶ、
第1の端末であって、
前記グループ識別子は、前記第1の端末によって監視されるべき前記端末が位置される前記グループに対してアプリケーションサーバにより割り当てられる仮識別子であり、前記端末識別子は、前記第1のブロードキャストコードワードをブロードキャストする前記端末に対して前記アプリケーションサーバにより割り当てられる仮識別子である、
第1の端末。
【請求項１６】
第3の近接サービスProSeエンティティの機能を実装するための装置であって、
第3の端末により送信される第9のメッセージを受信するように構成される受信器であって、前記第9のメッセージは、前記第3の端末の端末識別子と、前記第3の端末が位置されるグループのグループ識別子とを運ぶ、受信器と、
前記グループ識別子にしたがって、前記第3の端末が位置される前記グループのグループコードワードを取得し、前記第3の端末の前記端末識別子にしたがってユーザコードワードを前記第3の端末に割り当てるとともに、前記グループコードワード及び前記ユーザコードワードを使用することによって第1のブロードキャストコードワードを生成するように構成されるプロセッサと、
第10のメッセージを前記第3の端末に送信するように構成される送信器であって、前記第10のメッセージが前記第1のブロードキャストコードワードを運び、前記第10のメッセージは、前記第1のブロードキャストコードワードをブロードキャストするように前記第3の端末に指示するために使用される、送信器と、
を備える装置であって、
前記グループ識別子は、前記第3の端末が位置される前記グループに対してアプリケーションサーバにより割り当てられる仮識別子であり、前記第3の端末の前記端末識別子は、前記アプリケーションサーバによって前記第3の端末に割り当てられる仮識別子である、
装置。
【請求項１７】
前記送信器は、第11のメッセージをアプリケーションサーバに送信するように更に構成され、前記第11のメッセージが前記グループ識別子を運び、前記第11のメッセージは、前記第3の端末が位置される前記グループにコードワードを割り当てるように前記アプリケーションサーバに要求するために使用され、
前記受信器は、前記アプリケーションサーバにより送信される第12のメッセージを受信するように更に構成され、前記第12のメッセージが前記グループコードワードを運ぶ、
請求項16に記載の装置。
【請求項１８】
前記プロセッサは、前記グループ識別子にしたがって前記グループコードワードを生成するように特に構成される請求項16に記載の装置。
【請求項１９】
前記送信器は、第13のメッセージを第2のProSeエンティティに送信するように更に構成され、前記第13のメッセージが前記グループ識別子を運び、前記第13のメッセージは、前記第3の端末が位置される前記グループにコードワードを割り当てるように前記第2のProSeエンティティに要求するために使用され、前記第2のProSeエンティティが第2の端末のホーム公衆陸上移動体ネットワークHPLMN内のProSeエンティティであり、前記第2の端末は、前記第3の端末が位置される前記グループのグループ管理装置であり、
前記受信器は、前記第2のProSeエンティティにより送信される第14のメッセージを受信するように更に構成され、前記第14のメッセージが前記グループコードワードを運ぶ、
請求項16に記載の装置。
【請求項２０】
第3の端末であって、
第9のメッセージを第3の近接サービスProSeエンティティに送信するように構成される送信器であって、前記第9のメッセージは、前記第3の端末の端末識別子と、前記第3の端末が位置されるグループのグループ識別子とを運ぶ、送信器と、
前記第3のProSeエンティティにより送信される第10のメッセージを受信するように構成される受信器であって、前記第10のメッセージが第1のブロードキャストコードワードを運び、前記第1のブロードキャストコードワードは、前記第3の端末が位置される前記グループのグループコードワードと、前記第3の端末のユーザコードワードとを備える、受信器と、
前記第1のブロードキャストコードワードをブロードキャストするように構成されるプロセッサと、
を備える第3の端末であって、
前記グループ識別子は、前記第3の端末が位置される前記グループに対してアプリケーションサーバにより割り当てられる仮識別子であり、前記第3の端末の前記端末識別子は、前記アプリケーションサーバによって前記第3の端末に割り当てられる仮識別子である、第3の端末。
【発明の詳細な説明】
【技術分野】
【０００１】
本発明は、通信技術の分野に関し、特に、端末発見方法及び装置に関する。
【背景技術】
【０００２】
従来のモバイルネットワークにおいて、端末間のデータ通信経路は、コアネットワークエンティティサービングゲートウェイ（英語：Serving Gateway、略してSGW）／パケットデータゲートウェイ（英語：Packet Data Gateway、略してPGW）を経由する必要がある。この場合、データ伝送も、互いに非常に近い2つの端末によって実行されるときには、コアネットワークを経由する必要があり、そのため、データ伝送効率が低い。
【０００３】
この問題を解決するために、業界では、近接サービス（英語：Proximity Services、略してProSe）トピックが提案され、それにより、コアネットワークを経由せずに互いに比較的近い2つの端末によってデータ伝送を直接に行うことができ、また、互いに比較的近い端末間のデータ伝送効率を向上させることができる。端末が互いを発見することは、ProSeの重要な役割であるとともに、端末間のデータ伝送の前提でもある。
【０００４】
端末1及び端末2が互いに非常に近い2つの端末であり、端末1がブロードキャスティングを行うとともに、端末2が監視を行うものとする。従来技術では、端末2によって端末1を発見するプロセスが以下を含んでもよく、すなわち、端末1は、端末1のユーザコードワードを取得するとともに、ユーザコードワードをブロードキャストし、端末2は、最初に端末1のユーザコードワードを取得し、その後、ユーザコードワードを使用することにより、端末2により検出された全てのユーザコードワードから端末1のユーザコードワードをフィルタリングし、端末2は、端末1のフィルタリングされたユーザコードワードをProSeエンティティに送信し、及び、ProSeエンティティは、端末1の受信されたユーザコードワードにしたがってユーザコードワードと端末識別子との間の対応関係を検索して、端末1の端末識別子を取得するとともに、端末1の取得された端末識別子を端末2に送信する。このようにすると、端末2は、端末1の識別子にしたがって端末1を発見することができる。
【発明の概要】
【０００５】
しかしながら、前述のプロセスは以下の問題を有する。すなわち、端末2が複数の端末を監視する必要がある（例えば、端末2が20台の端末を監視する必要がある）とき、端末2は、20台の端末のユーザコードワードを取得する場合があり、また、端末2は、20個のユーザコードワードを別々に使用することにより、端末2によって検出される全てのユーザコードワードから端末2によって監視される必要がある20個のユーザコードワードをフィルタリングする必要がある。一般に、端末によって検出され得るユーザコードワードの量は比較的多く（例えば、端末2は1000個のユーザコードワードを検出できる）、すなわち、端末2は、20個のユーザコードワードを別々に使用することによって、端末2によって検出される1000個のユーザコードワードから端末2によって監視される必要がある20個のユーザコードワードをフィルタリングする必要がある。端末2によってユーザコードワードをフィルタリングするプロセスは比較的複雑であり、そのため、端末2のエネルギー消費が増加される。
【課題を解決するための手段】
【０００６】
本発明の実施形態は、1つの端末が複数の端末を監視する必要があるときにユーザコードワードをフィルタリングするプロセスが比較的複雑であるという問題点を解決するために、端末発見方法及び装置を提供する。
【０００７】
本発明の実施形態の第1の態様によれば、
第1の近接サービス（英語：Proximity Services、略してProSe）エンティティによって、第1の端末により送信される第1のメッセージを受信するステップであって、第1のメッセージは、第1の端末によって監視されるべき端末が位置されるグループのグループ識別子を運ぶ、ステップと、
グループ識別子にしたがって第1のProSeエンティティにより、第1の端末によって監視されるべき端末が位置されるグループのグループコードワードを取得するステップと、
第1のProSeエンティティによって、第1の端末に第2のメッセージを送信するステップであって、第2のメッセージがグループコードワードを運ぶ、ステップと、
第1のProSeエンティティによって、第1の端末により送信される第3のメッセージを受信するステップであって、第3のメッセージが少なくとも1つの第1のブロードキャストコードワードを運び、第1のブロードキャストコードワードは、第1の端末により検出されるブロードキャストコードワードのうちの1つであるとともにグループコードワードを含むブロードキャストコードワードであり、第1のブロードキャストコードワードは、第1のブロードキャストコードワードをブロードキャストする端末のユーザコードワードを更に含む、ステップと、
ユーザコードワードにしたがって第1のProSeエンティティにより、第1のブロードキャストコードワードをブロードキャストする端末の端末識別子を取得するとともに、第1の端末に第4のメッセージを送信するステップであって、第4のメッセージが端末識別子を運ぶ、ステップと、
を含む端末発見方法が提供される。
【０００８】
第1の態様に関連して、第1の態様の第1の想定し得る実施において、グループ識別子にしたがって第1のProSeエンティティにより、第1の端末によって監視されるべき端末が位置されるグループのグループコードワードを取得するステップは、
第1のProSeエンティティによって、第5のメッセージをアプリケーションサーバに送信するステップであって、第5のメッセージがグループ識別子を運び、第5のメッセージは、第1の端末によって監視されるべき端末が位置されるグループにコードワードを割り当てるようにアプリケーションサーバに要求するために使用される、ステップと、
第1のProSeエンティティによって、アプリケーションサーバにより送信される第6のメッセージを受信するステップであって、第6のメッセージがグループコードワードを運ぶ、ステップと、
を含む。
【０００９】
第1の態様に関連して、第1の態様の第2の想定し得る実施において、グループ識別子にしたがって第1のProSeエンティティにより、第1の端末によって監視されるべき端末が位置されるグループのグループコードワードを取得するステップは、
第1のProSeエンティティにより、グループ識別子にしたがってグループコードワードを生成するステップを含む。
【００１０】
第1の態様に関連して、第1の態様の第3の想定し得る実施において、第1の端末と第2の端末とが異なるホーム公衆陸上移動体ネットワーク（英語：Home Public Land Mobile Network、略してHPLMN）に属するとともに、第2の端末が、第1の端末によって監視されるべき端末が位置されるグループのグループ管理装置であるときに、グループ識別子にしたがって第1のProSeエンティティにより、第1の端末によって監視されるべき端末が位置されるグループのグループコードワードを取得するステップは、
第1のProSeエンティティによって、第7のメッセージを第2のProSeエンティティに送信するステップであって、第7のメッセージがグループ識別子を運び、第7のメッセージは、第1の端末によって監視されるべき端末が位置されるグループにコードワードを割り当てるように第2のProSeエンティティに要求するために使用され、第2のProSeエンティティが第2の端末のHPLMN内のProSeエンティティである、ステップと、
第1のProSeエンティティによって、第2のProSeエンティティにより送信される第8のメッセージを受信するステップであって、第8のメッセージがグループコードワードを運ぶ、ステップと、
を含む。
【００１１】
第1の態様及び前述の想定し得る実施に関連して、第1の態様の第4の想定し得る実施において、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【００１２】
本発明の実施形態の第2の態様によれば、
第1の端末によって、第1のメッセージを第1のProSeエンティティに送信するステップであって、第1のメッセージは、第1の端末によって監視されるべき端末が位置されるグループのグループ識別子を運ぶ、ステップと、
第1の端末によって、第1のProSeエンティティにより送信される第2のメッセージを受信するステップであって、第2のメッセージは、第1の端末によって監視されるべき端末が位置されるグループのグループコードワードを運ぶ、ステップと、
第1の端末によって、グループコードワードを使用することにより、第1の端末により検出されるブロードキャストコードワードをフィルタリングして、少なくとも1つの第1のブロードキャストコードワードを取得するステップであって、第1のブロードキャストコードワードがグループコードワードを含む、ステップと、
第1の端末によって、第3のメッセージを第1のProSeエンティティに送信するステップであって、第3のメッセージが少なくとも1つの第1のブロードキャストコードワードを運ぶ、ステップと、
第1の端末によって、第1のProSeエンティティにより送信される第4のメッセージを受信するステップであって、第4のメッセージは、第1のブロードキャストコードワードをブロードキャストする端末の端末識別子を運ぶ、ステップと、
を含む端末発見方法が提供される。
【００１３】
第2の態様に関連して、第2の態様の第1の想定し得る実施において、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【００１４】
本発明の実施形態の第3の態様によれば、
第3のProSeエンティティによって、第3の端末により送信される第9のメッセージを受信するステップであって、第9のメッセージは、第3の端末の端末識別子と、第3の端末が位置されるグループのグループ識別子とを運ぶ、ステップと、
グループ識別子にしたがって第3のProSeエンティティにより、第3の端末が位置されるグループのグループコードワードを取得するとともに、第3の端末の端末識別子にしたがってユーザコードワードを第3の端末に割り当てるステップと、
第3のProSeエンティティによって、グループコードワード及びユーザコードワードを使用することにより、第1のブロードキャストコードワードを生成するステップと、
第3のProSeエンティティによって、第10のメッセージを第3の端末に送信するステップであって、第10のメッセージが第1のブロードキャストコードワードを運び、第10のメッセージは、第1のブロードキャストコードワードをブロードキャストするように第3の端末に指示するために使用される、ステップと、
を含む端末発見方法が提供される。
【００１５】
第3の態様に関連して、第3の態様の第1の想定し得る実施において、グループ識別子にしたがって第3のProSeエンティティにより、第3の端末が位置されるグループのグループコードワードを取得するステップは、
第3のProSeエンティティによって、第11のメッセージをアプリケーションサーバに送信するステップであって、第11のメッセージがグループ識別子を運び、第11のメッセージは、第3の端末が位置されるグループにコードワードを割り当てるようにアプリケーションサーバに要求するために使用される、ステップと、
第3のProSeエンティティによって、アプリケーションサーバにより送信される第12のメッセージを受信するステップであって、第12のメッセージがグループコードワードを運ぶ、ステップと、
を含む。
【００１６】
第3の態様に関連して、第3の態様の第2の想定し得る実施において、グループ識別子にしたがって第3のProSeエンティティにより、第3の端末が位置されるグループのグループコードワードを取得するステップは、
第3のProSeエンティティにより、グループ識別子にしたがってグループコードワードを生成するステップを含む。
【００１７】
第3の態様に関連して、第3の態様の第3の想定し得る実施において、第3の端末と第2の端末とが異なるHPLMNに属するとともに、第2の端末が、第3の端末が位置されるグループのグループ管理装置であるときに、グループ識別子にしたがって第3のProSeエンティティにより、第3の端末が位置されるグループのグループコードワードを取得するステップは、
第3のProSeエンティティによって、第13のメッセージを第2のProSeエンティティに送信するステップであって、第13のメッセージがグループ識別子を運び、第13のメッセージは、第3の端末が位置されるグループにコードワードを割り当てるように第2のProSeエンティティに要求するために使用され、第2のProSeエンティティが第2の端末のHPLMN内のProSeエンティティである、ステップと、
第3のProSeエンティティによって、第2のProSeエンティティにより送信される第14のメッセージを受信するステップであって、第14のメッセージがグループコードワードを運ぶ、ステップと、
を含む。
【００１８】
第3の態様及び前述の想定し得る実施に関連して、第3の態様の第4の想定し得る実施において、グループ識別子は、第3の端末が位置されるグループに対してアプリケーションサーバにより割り当てられる仮識別子であり、また、第3の端末の端末識別子は、第3の端末に対してアプリケーションサーバにより割り当てられる仮識別子である。
【００１９】
本発明の実施形態の第4の態様によれば、
第3の端末によって、第9のメッセージを第3のProSeエンティティに送信するステップであって、第9のメッセージは、第3の端末の端末識別子と、第3の端末が位置されるグループのグループ識別子とを運ぶ、ステップと、
第3の端末によって、第3のProSeエンティティにより送信される第10のメッセージを受信するステップであって、第10のメッセージが第1のブロードキャストコードワードを運び、第1のブロードキャストコードワードは、第3の端末が位置されるグループのグループコードワードと、第3の端末のユーザコードワードとを含む、ステップと、
第3の端末によって第1のブロードキャストコードワードをブロードキャストするステップと、
を含む端末発見方法が提供される。
【００２０】
第4の態様に関連して、第4の態様の第1の想定し得る実施において、グループ識別子は、第3の端末が位置されるグループに対してアプリケーションサーバにより割り当てられる仮識別子であり、また、第3の端末の端末識別子は、第3の端末に対してアプリケーションサーバにより割り当てられる仮識別子である。
【００２１】
本発明の実施形態の第5の態様によれば、第1のProSeエンティティの機能を実装するための装置であって、
第1の端末により送信される第1のメッセージを受信するように構成される受信ユニットであって、第1のメッセージは、第1の端末によって監視されるべき端末が位置されるグループのグループ識別子を運ぶ、受信ユニットと、
グループ識別子にしたがって、第1の端末によって監視されるべき端末が位置されるグループのグループコードワードを取得するように構成される取得ユニットと、
第1の端末に第2のメッセージを送信するように構成される送信ユニットであって、第2のメッセージがグループコードワードを運ぶ、送信ユニットと、
を含み、
受信ユニットは、第1の端末により送信される第3のメッセージを受信するように更に構成され、第3のメッセージが少なくとも1つの第1のブロードキャストコードワードを運び、第1のブロードキャストコードワードは、第1の端末により検出されるブロードキャストコードワードのうちの1つであるとともにグループコードワードを含むブロードキャストコードワードであり、第1のブロードキャストコードワードは、第1のブロードキャストコードワードをブロードキャストする端末のユーザコードワードを更に含み、
取得ユニットは、ユーザコードワードにしたがって、第1のブロードキャストコードワードをブロードキャストする端末の端末識別子を取得するように更に構成され、
送信ユニットは、第1の端末に第4のメッセージを送信するように更に構成され、第4のメッセージが端末識別子を運ぶ、
装置が提供される。
【００２２】
第5の態様に関連して、第5の態様の第1の想定し得る実施において、取得ユニットは、
第5のメッセージをアプリケーションサーバに送信するように構成される第1の送信モジュールであって、第5のメッセージがグループ識別子を運び、第5のメッセージは、第1の端末によって監視されるべき端末が位置されるグループにコードワードを割り当てるようにアプリケーションサーバに要求するために使用される、第1の送信モジュールと、
アプリケーションサーバにより送信される第6のメッセージを受信するように構成される第1の受信モジュールであって、第6のメッセージがグループコードワードを運ぶ、第1の受信モジュールと、
を含む。
【００２３】
第5の態様に関連して、第5の態様の第2の想定し得る実施において、取得ユニットは、グループ識別子にしたがってグループコードワードを生成するように特に構成される。
【００２４】
第5の態様に関連して、第5の態様の第3の想定し得る実施において、取得ユニットは、
第7のメッセージを第2のProSeエンティティに送信するように構成される第2の送信モジュールであって、第7のメッセージがグループ識別子を運び、第7のメッセージは、第1の端末によって監視されるべき端末が位置されるグループにコードワードを割り当てるように第2のProSeエンティティに要求するために使用され、第2のProSeエンティティが第2の端末のHPLMN内のProSeエンティティであり、第2の端末は、第1の端末によって監視されるべき端末が位置されるグループのグループ管理装置である、第2の送信モジュールと、
第2のProSeエンティティにより送信される第8のメッセージを受信するように構成される第2の受信モジュールであって、第8のメッセージがグループコードワードを運ぶ、第2の受信モジュールと、
を含む。
【００２５】
第5の態様及び前述の想定し得る実施に関連して、第5の態様の第4の想定し得る実施において、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【００２６】
本発明の実施形態の第6の態様によれば、第1の端末であって、
第1のメッセージを第1のProSeエンティティに送信するように構成される送信ユニットであって、第1のメッセージは、第1の端末によって監視されるべき端末が位置されるグループのグループ識別子を運ぶ、送信ユニットと、
第1のProSeエンティティにより送信される第2のメッセージを受信するように構成される受信ユニットであって、第2のメッセージは、第1の端末によって監視されるべき端末が位置されるグループのグループコードワードを運ぶ、受信ユニットと、
グループコードワードを使用することにより、第1の端末により検出されるブロードキャストコードワードをフィルタリングして、少なくとも1つの第1のブロードキャストコードワードを取得するように構成されるフィルタリングユニットであって、第1のブロードキャストコードワードがグループコードワードを含む、フィルタリングユニットと、
を含み、
送信ユニットは、第3のメッセージを第1のProSeエンティティに送信するように更に構成され、第3のメッセージが少なくとも1つの第1のブロードキャストコードワードを運び、
受信ユニットは、第1のProSeエンティティにより送信される第4のメッセージを受信するように更に構成され、第4のメッセージは、第1のブロードキャストコードワードをブロードキャストする端末の端末識別子を運ぶ、
第1の端末が提供される。
【００２７】
第6の態様に関連して、第6の態様の第1の想定し得る実施において、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【００２８】
本発明の実施形態の第7の態様によれば、第3のProSeエンティティの機能を実装するための装置であって、
第3の端末により送信される第9のメッセージを受信するように構成される受信ユニットであって、第9のメッセージは、第3の端末の端末識別子と、第3の端末が位置されるグループのグループ識別子とを運ぶ、受信ユニットと、
グループ識別子にしたがって、第3の端末が位置されるグループのグループコードワードを取得するとともに、第3の端末の端末識別子にしたがってユーザコードワードを第3の端末に割り当てるように構成される取得ユニットと、
グループコードワード及びユーザコードワードを使用することによって第1のブロードキャストコードワードを生成するように構成される生成ユニットと、
第10のメッセージを第3の端末に送信するように構成される送信ユニットであって、第10のメッセージが第1のブロードキャストコードワードを運び、第10のメッセージは、第1のブロードキャストコードワードをブロードキャストするように第3の端末に指示するために使用される、送信ユニットと、
を含む装置が提供される。
【００２９】
第7の態様に関連して、第7の態様の第1の想定し得る実施において、取得ユニットは、
第11のメッセージをアプリケーションサーバに送信するように構成される第1の送信モジュールであって、第11のメッセージがグループ識別子を運び、第11のメッセージは、第3の端末が位置されるグループにコードワードを割り当てるようにアプリケーションサーバに要求するために使用される、第1の送信モジュールと、
アプリケーションサーバにより送信される第12のメッセージを受信するように構成される第1の受信モジュールであって、第12のメッセージがグループコードワードを運ぶ、第1の受信モジュールと、
を含む。
【００３０】
第7の態様に関連して、第7の態様の第2の想定し得る実施において、取得ユニットは、グループ識別子にしたがってグループコードワードを生成するように特に構成される。
【００３１】
第7の態様に関連して、第7の態様の第3の想定し得る実施において、取得ユニットは、
第13のメッセージを第2のProSeエンティティに送信するように構成される第2の送信モジュールであって、第13のメッセージがグループ識別子を運び、第13のメッセージは、第3の端末が位置されるグループにコードワードを割り当てるように第2のProSeエンティティに要求するために使用され、第2のProSeエンティティが第2の端末のHPLMN内のProSeエンティティであり、第2の端末は、第3の端末が位置されるグループのグループ管理装置である、第2の送信モジュールと、
第2のProSeエンティティにより送信される第14のメッセージを受信するように構成される第2の受信モジュールであって、第14のメッセージがグループコードワードを運ぶ、第2の受信モジュールと、
を含む。
【００３２】
第7の態様及び前述の想定し得る実施に関連して、第7の態様の第4の想定し得る実施において、グループ識別子は、第3の端末が位置されるグループに対してアプリケーションサーバにより割り当てられる仮識別子であり、また、第3の端末の端末識別子は、第3の端末に対してアプリケーションサーバにより割り当てられる仮識別子である。
【００３３】
本発明の実施形態の第8の態様によれば、第3の端末であって、
第9のメッセージを第3のProSeエンティティに送信するように構成される送信ユニットであって、第9のメッセージは、第3の端末の端末識別子と、第3の端末が位置されるグループのグループ識別子とを運ぶ、送信ユニットと、
第3のProSeエンティティにより送信される第10のメッセージを受信するように構成される受信ユニットであって、第10のメッセージが第1のブロードキャストコードワードを運び、第1のブロードキャストコードワードは、第3の端末が位置されるグループのグループコードワードと、第3の端末のユーザコードワードとを含む、受信ユニットと、
第1のブロードキャストコードワードをブロードキャストするように構成されるブロードキャストユニットと、
を含む第3の端末が提供される。
【００３４】
第8の態様に関連して、第8の態様の第1の想定し得る実施において、グループ識別子は、第3の端末が位置されるグループに対してアプリケーションサーバにより割り当てられる仮識別子であり、また、第3の端末の端末識別子は、第3の端末に対してアプリケーションサーバにより割り当てられる仮識別子である。
【００３５】
本発明の実施形態の第9の態様によれば、第1のProSeエンティティの機能を実装するための装置であって、
第1の端末により送信される第1のメッセージを受信するように構成される受信器であって、第1のメッセージは、第1の端末によって監視されるべき端末が位置されるグループのグループ識別子を運ぶ、受信器と、
グループ識別子にしたがって、第1の端末によって監視されるべき端末が位置されるグループのグループコードワードを取得するように構成されるプロセッサと、
第1の端末に第2のメッセージを送信するように構成される送信器であって、第2のメッセージがグループコードワードを運ぶ、送信器と、
を含み、
受信器は、第1の端末により送信される第3のメッセージを受信するように更に構成され、第3のメッセージが少なくとも1つの第1のブロードキャストコードワードを運び、第1のブロードキャストコードワードは、第1の端末により検出されるブロードキャストコードワードのうちの1つであるとともにグループコードワードを含むブロードキャストコードワードであり、第1のブロードキャストコードワードは、第1のブロードキャストコードワードをブロードキャストする端末のユーザコードワードを更に含み、
プロセッサは、ユーザコードワードにしたがって、第1のブロードキャストコードワードをブロードキャストする端末の端末識別子を取得するように更に構成され、
送信器は、第1の端末に第4のメッセージを送信するように更に構成され、第4のメッセージが端末識別子を運ぶ、
装置が提供される。
【００３６】
第9の態様に関連して、第9の態様の第1の想定し得る実施において、送信器は、第5のメッセージをアプリケーションサーバに送信するように更に構成され、第5のメッセージがグループ識別子を運び、第5のメッセージは、第1の端末によって監視されるべき端末が位置されるグループにコードワードを割り当てるようにアプリケーションサーバに要求するために使用され、
受信器は、アプリケーションサーバにより送信される第6のメッセージを受信するように更に構成され、第6のメッセージがグループコードワードを運ぶ。
【００３７】
第9の態様に関連して、第9の態様の第2の想定し得る実施において、プロセッサは、グループ識別子にしたがってグループコードワードを生成するように特に構成される。
【００３８】
第9の態様に関連して、第9の態様の第3の想定し得る実施において、送信器は、第7のメッセージを第2のProSeエンティティに送信するように更に構成され、第7のメッセージがグループ識別子を運び、第7のメッセージは、第1の端末によって監視されるべき端末が位置されるグループにコードワードを割り当てるように第2のProSeエンティティに要求するために使用され、第2のProSeエンティティが第2の端末のHPLMN内のProSeエンティティであり、第2の端末は、第1の端末によって監視されるべき端末が位置されるグループのグループ管理装置であり、
受信器は、第2のProSeエンティティにより送信される第8のメッセージを受信するように更に構成され、第8のメッセージがグループコードワードを運ぶ。
【００３９】
第9の態様及び前述の想定し得る実施に関連して、第9の態様の第4の想定し得る実施において、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【００４０】
本発明の実施形態の第10の態様によれば、第1の端末であって、
第1のメッセージを第1のProSeエンティティに送信するように構成される送信器であって、第1のメッセージは、第1の端末によって監視されるべき端末が位置されるグループのグループ識別子を運ぶ、送信器と、
第1のProSeエンティティにより送信される第2のメッセージを受信するように構成される受信器であって、第2のメッセージは、第1の端末によって監視されるべき端末が位置されるグループのグループコードワードを運ぶ、受信器と、
グループコードワードを使用することにより、第1の端末により検出されるブロードキャストコードワードをフィルタリングして、少なくとも1つの第1のブロードキャストコードワードを取得するように構成されるプロセッサであって、第1のブロードキャストコードワードがグループコードワードを含む、プロセッサと、
を含み、
送信器は、第3のメッセージを第1のProSeエンティティに送信するように更に構成され、第3のメッセージが少なくとも1つの第1のブロードキャストコードワードを運び、
受信器は、第1のProSeエンティティにより送信される第4のメッセージを受信するように更に構成され、第4のメッセージは、第1のブロードキャストコードワードをブロードキャストする端末の端末識別子を運ぶ、
第1の端末が提供される。
【００４１】
第10の態様に関連して、第1の想定し得る実施において、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【００４２】
本発明の実施形態の第11の態様によれば、第3のProSeエンティティの機能を実装するための装置であって、
第3の端末により送信される第9のメッセージを受信するように構成される受信器であって、第9のメッセージは、第3の端末の端末識別子と、第3の端末が位置されるグループのグループ識別子とを運ぶ、受信器と、
グループ識別子にしたがって、第3の端末が位置されるグループのグループコードワードを取得して、第3の端末の端末識別子にしたがってユーザコードワードを第3の端末に割り当てるとともに、グループコードワード及びユーザコードワードを使用することによって第1のブロードキャストコードワードを生成するように構成されるプロセッサと、
第10のメッセージを第3の端末に送信するように構成される送信器であって、第10のメッセージが第1のブロードキャストコードワードを運び、第10のメッセージは、第1のブロードキャストコードワードをブロードキャストするように第3の端末に指示するために使用される、送信器と、
を含む装置が提供される。
【００４３】
第11の態様に関連して、第11の態様の第1の想定し得る実施において、送信器は、第11のメッセージをアプリケーションサーバに送信するように更に構成され、第11のメッセージがグループ識別子を運び、第11のメッセージは、第3の端末が位置されるグループにコードワードを割り当てるようにアプリケーションサーバに要求するために使用され、
受信器は、アプリケーションサーバにより送信される第12のメッセージを受信するように更に構成され、第12のメッセージがグループコードワードを運ぶ。
【００４４】
第11の態様に関連して、第11の態様の第2の想定し得る実施において、プロセッサは、グループ識別子にしたがってグループコードワードを生成するように特に構成される。
【００４５】
第11の態様に関連して、第11の態様の第3の想定し得る実施において、送信器は、第13のメッセージを第2のProSeエンティティに送信するように更に構成され、第13のメッセージがグループ識別子を運び、第13のメッセージは、第3の端末が位置されるグループにコードワードを割り当てるように第2のProSeエンティティに要求するために使用され、第2のProSeエンティティが第2の端末のHPLMN内のProSeエンティティであり、第2の端末は、第3の端末が位置されるグループのグループ管理装置であり、
受信器は、第2のProSeエンティティにより送信される第14のメッセージを受信するように更に構成され、第14のメッセージがグループコードワードを運ぶ。
【００４６】
第11の態様及び前述の想定し得る実施に関連して、第11の態様の第4の想定し得る実施において、グループ識別子は、第3の端末が位置されるグループに対してアプリケーションサーバにより割り当てられる仮識別子であり、また、第3の端末の端末識別子は、第3の端末に対してアプリケーションサーバにより割り当てられる仮識別子である。
【００４７】
本発明の実施形態の第12の態様によれば、第3の端末であって、
第9のメッセージを第3のProSeエンティティに送信するように構成される送信器であって、第9のメッセージは、第3の端末の端末識別子と、第3の端末が位置されるグループのグループ識別子とを運ぶ、送信器と、
第3のProSeエンティティにより送信される第10のメッセージを受信するように構成される受信器であって、第10のメッセージが第1のブロードキャストコードワードを運び、第1のブロードキャストコードワードは、第3の端末が位置されるグループのグループコードワードと、第3の端末のユーザコードワードとを含む、受信器と、
第1のブロードキャストコードワードをブロードキャストするように構成されるプロセッサと、
を含む第3の端末が提供される。
【００４８】
第12の態様に関連して、第12の態様の第1の想定し得る実施において、グループ識別子は、第3の端末が位置されるグループに対してアプリケーションサーバにより割り当てられる仮識別子であり、また、第3の端末の端末識別子は、第3の端末に対してアプリケーションサーバにより割り当てられる仮識別子である。
【００４９】
本発明の実施形態において提供される端末発見方法及び装置によれば、第1のProSeエンティティは第1の端末により送信される第1のメッセージを受信し、第1のメッセージは、第1の端末によって監視されるべき端末が位置されるグループのグループ識別子を運び、第1のProSeエンティティは、グループ識別子にしたがって、第1の端末によって監視されるべき端末が位置されるグループのグループコードワードを取得し、第1のProSeエンティティは第1の端末に第2のメッセージを送信し、第2のメッセージがグループコードワードを運び、第1のProSeエンティティは、第1の端末により送信される第3のメッセージを受信し、第3のメッセージが少なくとも1つの第1のブロードキャストコードワードを運び、第1のブロードキャストコードワードは、第1の端末により検出されるブロードキャストコードワードのうちの1つであるとともにグループコードワードを含むブロードキャストコードワードであり、第1のブロードキャストコードワードは、第1のブロードキャストコードワードをブロードキャストする端末のユーザコードワードを更に含み、第1のProSeエンティティは、ユーザコードワードにしたがって、第1のブロードキャストコードワードをブロードキャストする端末の端末識別子を取得するとともに、第1の端末に第4のメッセージを送信し、第4のメッセージが端末識別子を運ぶ。
【００５０】
それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【００５１】
本発明の実施形態における技術的解決策を更に明確に説明するために、以下、実施形態を説明するために必要とされる添付図面について簡単に説明する。明らかに、以下の説明における添付図面は、本発明の幾つかの実施形態を示すにすぎず、また、当業者は、創造的努力を伴うことなくこれらの添付図面から他の図面を依然として導き出すことができる。
【図面の簡単な説明】
【００５２】
【図１】本発明の一実施形態に係る端末発見方法のフローチャートである。
【図２】本発明の一実施形態に係る他の端末発見方法のフローチャートである。
【図３】本発明の一実施形態に係る他の端末発見方法のフローチャートである。
【図４】本発明の一実施形態に係る他の端末発見方法のフローチャートである。
【図５】本発明の一実施形態に係る他の端末発見方法のフローチャートである。
【図６】本発明の一実施形態に係る他の端末発見方法のフローチャートである。
【図７】本発明の一実施形態に係る他の端末発見方法のフローチャートである。
【図８】本発明の一実施形態に係る他の端末発見方法のフローチャートである。
【図９】本発明の一実施形態に係る他の端末発見方法のフローチャートである。
【図１０】本発明の一実施形態に係る他の端末発見方法のフローチャートである。
【図１１】本発明の一実施形態に係る第1のProSeエンティティの機能を実装するための装置の構成の概略図である。
【図１２】本発明の一実施形態に係る第1のProSeエンティティの機能を実装するための他の装置の構成の概略図である。
【図１３】本発明の一実施形態に係る第1のProSeエンティティの機能を実装するための他の装置の構成の概略図である。
【図１４】本発明の一実施形態に係る第1の端末の構成の概略図である。
【図１５】本発明の一実施形態に係る第3のProSeエンティティの機能を実装するための装置の構成の概略図である。
【図１６】本発明の一実施形態に係る第3のProSeエンティティの機能を実装するための他の装置の構成の概略図である。
【図１７】本発明の一実施形態に係る第3のProSeエンティティの機能を実装するための他の装置の構成の概略図である。
【図１８】本発明の一実施形態に係る第3の端末の構成の概略図である。
【図１９】本発明の一実施形態に係る第1のProSeエンティティの機能を実装するための他の装置の構成の概略図である。
【図２０】本発明の一実施形態に係る他の第1の端末の構成の概略図である。
【図２１】本発明の一実施形態に係る第3のProSeエンティティの機能を実装するための他の装置の構成の概略図である。
【図２２】本発明の一実施形態に係る他の第3の端末の構成の概略図である。
【発明を実施するための形態】
【００５３】
以下は、本発明の実施形態における添付図面に関連して、本発明の実施形態における技術的解決策を明確に説明する。明らかに、説明される実施形態は、本発明の実施形態の一部にすぎず、全てではない。創造的努力を伴うことなく本発明の実施形態に基づいて当業者により得られる他の全ての実施形態は、本発明の保護範囲内に入るものとする。
【００５４】
本発明の実施形態における技術的解決策の明確な説明を容易にするために、本発明の実施形態では、「第1」、「第2」、及び、「第3」などの単語を使用して、同じ項目と基本的に同じ機能及び目的を有する類似の項目との間を区別する。当業者であれば分かるように、「第1」、「第2」、及び、「第3」などの単語は、量及び実行順序を限定しない。
【００５５】
加えて、以下の実施形態の説明を簡単にするために、以下は幾つかの関連する定義を与える。
【００５６】
第1の端末：監視を行うための端末。
【００５７】
第2の端末：第1の端末によって監視されるべき端末が位置されるグループのグループ管理装置。第1の端末と第1の端末によって監視されるべき端末とが同じグループにあるとともに、第1の端末がグループのグループ管理装置であるときには、第1の端末が第2の端末である。
【００５８】
第3の端末：ブロードキャスティングを行うための端末。第1の端末によって監視されるべき端末は、第3の端末を含む。第3の端末がこの第3の端末が位置されるグループのグループ管理装置であるときには、第3の端末が第2の端末である。
【００５９】
第1のProSeエンティティ：第1の端末のホーム公衆陸上移動体ネットワーク（英語：Home Public Land Mobile Networks、略してHPLMN）内のProSeエンティティ。ProSeエンティティは、コアネットワーク内にあるとともにProSeを関与するエンティティである。ProSeエンティティは、独立した装置であってもよく、又は、他のコアネットワーク装置上に支持されてもよい。
【００６０】
第2のProSeエンティティ：第2の端末のHPLMN内のProSeエンティティ。第1の端末と第2の端末とが同じ端末であるとき、又は、第1の端末のHPLMNと第2の端末のHPLMNとが同じであるときには、第1のProSeエンティティと第2のProSeエンティティとが同じProSeエンティティである。
【００６１】
第3のProSeエンティティ：第3の端末のHPLMN内のProSeエンティティ。第3の端末と第2の端末とが同じ端末であるとき、又は、第3の端末のHPLMNと第2の端末のHPLMNとが同じであるときには、第3のProSeエンティティと第2のProSeエンティティとが同じProSeエンティティである。第3の端末のHPLMNと第1の端末のHPLMNとが同じであるときには、第3のProSeエンティティと第1のProSeエンティティとが同じProSeエンティティである。
【００６２】
図1に示されるように、本発明の一実施形態は、以下を含む端末発見方法を提供する。
【００６３】
S101．第1のProSeエンティティが第1の端末によって送信される第1のメッセージを受信し、この場合、第1のメッセージは、第1の端末によって監視されるべき端末が位置されるグループのグループ識別子を運ぶ。
【００６４】
具体的には、第1のメッセージが発見要求メッセージであってもよい。第1のメッセージは、本発明のこの実施形態において特に限定されない。
【００６５】
グループ識別子は、第1の端末によって監視されるべき端末が位置されるグループのアプリケーション層グループ識別子（英語：Application Layer Group ID）であってもよく、又は、第1の端末によって監視されるべき端末が位置されるグループに対してアプリケーションサーバにより割り当てられる仮識別子であってもよい。
【００６６】
アプリケーショングループ識別子は、アプリケーションにおけるグループの識別子であり、また、アプリケーショングループ識別子は、アプリケーションにおいて長期的に有効である。アプリケーショングループ識別子は、異なるアプリケーションにおいて異なる表示態様を有してもよい。例えば、アプリケーショングループ識別子は、1つのアプリケーションにおいて1つのグループ番号を使用することによって表わされ、また、アプリケーショングループ識別子は、他のアプリケーションにおいて1つのグループ名を使用することによって表わされる。
【００６７】
第1の端末によって監視されるべき端末が位置されるグループのアプリケーショングループ識別子は、第1の端末によって形成されるプリケーショングループ識別子であってもよく、或いは、第1の端末によって監視されるべき端末が位置されるグループのグループ管理装置（第2の端末）によって形成されるアプリケーショングループ識別子であってもよく、また、第1の端末によって監視されるべき端末が位置されるグループの任意の端末は、アプリケーショングループ識別子の第1の端末を通知する。
【００６８】
第1の端末は、第1の端末によって監視されるべき端末が位置されるグループに対してアプリケーションサーバにより割り当てられる仮識別子を取得するために、第1の端末によって監視されるべき端末が位置されるグループのアプリケーショングループ識別子を運ぶメッセージをアプリケーションサーバに送信してもよい。仮識別子は、第2の端末のHPLMNの識別子を含んでもよい。仮識別子が1日などのライフサイクルを有してもよく、すなわち、仮識別子が1日中利用できる。
【００６９】
例えば、第1の端末によって監視されるべき端末が端末1と端末2とを含み、また、端末1及び端末2が同じグループ内にある。端末1と端末2とが位置されるグループのグループ番号は1234567であり、グループ名はフレンドグループ1であり、また、端末1と端末2とが位置されるグループに対してアプリケーションサーバにより割り当てられる仮識別子は001である。この場合、本発明のこの実施形態におけるグループ識別子は、1234567であってもよく、又は、フレンドグループ1であってもよく、又は、001であってもよい。端末1と端末2とが同じグループ内にない場合、本発明のこの実施形態におけるグループ識別子は、端末1が位置されるグループのグループ識別子と、端末2が位置されるグループのグループ識別子とを含む。
【００７０】
なお、第1のメッセージは、第1の端末の端末識別子又はアプリケーションサーバのアプリケーション識別子などの情報を更に運んでもよい。第1のメッセージで運ばれる他の情報は、本発明のこの実施形態では特に限定されない。
【００７１】
S102．第1のProSeエンティティは、グループ識別子にしたがって、第1の端末によって監視されるべき端末が位置されるグループのグループコードワードを取得する。
【００７２】
グループコードワードは、第1の端末によって監視されるべき端末が位置されるグループに対してアプリケーションサーバにより割り当てられるとともに第1の端末によって監視されるべき端末のHPLMN内のProSeエンティティを使用することによって第1の端末に送信されるコードワードであり、又は、グループコードワードは、第1の端末によって監視されるべき端末が位置されるグループに対して第2のProSeエンティティ（すなわち、第1の端末によって監視されるべき端末が位置されるグループのグループ管理装置のHPLMN内のProSeエンティティ）によって割り当てられるとともに第1の端末によって監視されるべき端末のHPLMN内のProSeエンティティを使用することによって第1の端末に送信されるコードワードである。第1の端末によって監視されるべき端末のブロードキャストコードワードは、グループコードワードを含むとともに第1の端末によって監視されるべき端末のHPLMN内のProSeエンティティにより割り当てられるブロードキャストコードワードである。
【００７３】
S103．第1のProSeエンティティは第2のメッセージを第1の端末に送信し、この場合、第2のメッセージはグループコードワードを運ぶ。
【００７４】
S104．第1のProSeエンティティは、第1の端末によって送信される第3のメッセージを受信し、この場合、第3のメッセージは、少なくとも1つの第1のブロードキャストコードワードを運ぶ。
【００７５】
第1のブロードキャストコードワードは、第1の端末によって検出されるブロードキャストコードワードのうちの1つであるとともにグループコードワードを含むブロードキャストコードワードであり、また、第1のブロードキャストコードワードは、第1のブロードキャストコードをブロードキャストする端末のユーザコードワードを更に含む。
【００７６】
ユーザコードワードは従来技術におけるユーザコードワードと同じであり、また、ユーザコードワードの全長は184ビット（英語：bit）である。一般に、ユーザコードワードは、占有されない幾つかののアイドルビットを含む。ユーザコードワードは、第1のブロードキャストコードワードをブロードキャストする端末に対して第1のブロードキャストコードワードをブロードキャストする端末のHPLMN内のProSeエンティティにより割り当てられるコードワードである。
【００７７】
第1の端末は、複数の他の端末（第1の端末とは異なる端末）によってブロードキャストされるブロードキャストコードワードを同時に検出してもよく、また、第1の端末によって検出されるブロードキャストコードワードをグループコードワードを使用することによりフィルタリングすることによって第1の端末により取得される複数のブロードキャストコードワードが存在してもよく、すなわち、少なくとも1つの第1のブロードキャストコードワードが存在する。異なる端末によってブロードキャストされる第1のブロードキャストコードワードに含まれるユーザコードワードが異なっていてもよい。グループコードワードを含む複数の第1のブロードキャストコードワードを第1の端末が第1のProSeエンティティに送信するとき、第1のProSeエンティティは、複数の第1のブロードキャストコードワードにしたがって複数の異なるユーザコードワードを取得してもよい。
【００７８】
従来技術におけるそれとは異なり、従来技術で任意の端末がブロードキャストするものはユーザコードワードであるが、本発明のこの実施形態で任意の端末がブロードキャストするものは、グループコードワードとユーザコードワードとを含むブロードキャストコードワードである。
【００７９】
S105．第1のProSeエンティティは、ユーザコードワードにしたがって、第1のブロードキャストコードワードをブロードキャストする端末の端末識別子を取得するとともに、第4のメッセージを第1の端末に送信し、この場合、第4のメッセージは端末識別子を運ぶ。
【００８０】
このようにすると、第1の端末は、第4のメッセージで運ばれる端末識別子によって示される端末を発見することができる。
【００８１】
ユーザコードワードは、第1のブロードキャストコードワードをブロードキャストする端末のHPLMNの識別子を含んでもよい。第1のProSeエンティティは、第1の端末の端末識別子と第1の端末のユーザコードワードとの間の対応関係を予め記憶してもよい。第1のブロードキャストコードワードをブロードキャストする端末のHPLMNが第1の端末のHPLMNと同じである場合、第1のProSeエンティティは、第1のブロードキャストコードワードをブロードキャストする端末のユーザコードワードにしたがって、端末識別子とユーザコードワードとの間の対応関係を検索して、第1のブロードキャストコードワードをブロードキャストする端末の端末識別子を取得してもよい。第1のブロードキャストコードワードをブロードキャストする端末のHPLMNが第1の端末のHPLMNと異なる場合、第1のProSeエンティティは、HPLMNの識別子であるとともにユーザコードワードに含まれる識別子にしたがって、第1のブロードキャストコードワードをブロードキャストする端末のHPLMN内のProSeエンティティに対して端末識別子要求メッセージを送信して、第1のブロードキャストコードワードをブロードキャストする端末の端末識別子を取得してもよい。
【００８２】
グループ識別子と同様に、第1のブロードキャストコードワードをブロードキャストする端末の端末識別子は、第1のブロードキャストコードワードをブロードキャストする端末のアプリケーション層ユーザ識別子（英語：Application Layer User ID）であってもよく、又は、第1のブロードキャストコードワードをブロードキャストする端末に対してアプリケーションサーバにより割り当てられる仮識別子であってもよい。
【００８３】
アプリケーション層ユーザ識別子は、アプリケーションにおける端末の識別子であり、また、アプリケーション層ユーザ識別子は、アプリケーションにおいて長期的に有効である。アプリケーション層ユーザ識別子は、グループ番号、ユーザ名などであってもよい。
【００８４】
第1のブロードキャストコードワードをブロードキャストする端末に対してアプリケーションサーバにより割り当てられる仮識別子は、1日などのライフサイクルを有しておよく、すなわち、仮識別子が1日中利用できる。
【００８５】
本発明のこの実施形態で提供される端末発見方法によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【００８６】
また、S102では、第1の端末によって監視されるべき端末が位置されるグループのグループコードワードを第1のProSeエンティティがグループ識別子にしたがって取得する3つのケースがある。
【００８７】
グループコードワードが、第1の端末によって監視されるべき端末が位置されるグループに対してアプリケーションサーバにより割り当てられるコードワードである場合、S102は具体的に以下を含む。
【００８８】
S102a．第1のProSeエンティティはアプリケーションサーバに第5のメッセージを送信し、この場合、第5のメッセージはグループ識別子を運ぶ。
【００８９】
第5のメッセージは、第1の端末によって監視されるべき端末が位置されるグループに対してコードワードを割り当てるようにアプリケーションサーバに要求するために使用される。
【００９０】
S102b．第1のProSeエンティティは、アプリケーションサーバによって送信される第6のメッセージを受信し、この場合、第6のメッセージはグループコードワードを運ぶ。
【００９１】
グループコードワードが、第1の端末によって監視されるべき端末が位置されるグループに対して第2のProSeエンティティにより割り当てられるコードワードであるとともに、第1のProSeエンティティと第2のProSeエンティティとが同じProSeエンティティである（すなわち、第1の端末と第2の端末とが同じHPLMNに属し、第2の端末は、第1の端末によって監視されるべき端末が位置されるグループのグループ管理装置であり、第2のProSeエンティティが第2の端末のHPLMN内のProSeエンティティである）場合、S102は具体的に以下を含んでもよい。
【００９２】
S102c．第1のProSeエンティティは、グループ識別子にしたがってグループコードワードを生成する。
【００９３】
グループコードワードが、第1の端末によって監視されるべき端末が位置されるグループに対して第2のProSeエンティティにより割り当てられるコードワードであるとともに、第1の端末と第2の端末とが異なるHPLMNに属する場合、S102は具体的に以下を含んでもよい。
【００９４】
S102d．第1のProSeエンティティは第7のメッセージを第2のProSeエンティティに送信し、この場合、第7のメッセージはグループ識別子を運ぶ。
【００９５】
第7のメッセージは、第1の端末によって監視されるべき端末が位置されるグループに対してコードワードを割り当てるように第2のProSeエンティティに要求するために使用される。
【００９６】
S102e．第1のProSeエンティティは第2のProSeエンティティによって送信される第8のメッセージを受信し、この場合、第8のメッセージはグループコードワードを運ぶ。
【００９７】
本発明のこの実施形態の解決策において、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。この解決策では、アプリケーショングループ識別子及びアプリケーション層ユーザ識別子が第1のProSeエンティティには見えないため、これにより、アプリケーショングループ識別子及びアプリケーション層ユーザ識別子などの個人情報が第三者のモバイルオペレータ（第1のProSeエンティティを与えるモバイルオペレータ）に漏れることを防止できる。
【００９８】
図2に示されるように、本発明の一実施形態は、以下を含む端末発見方法を更に提供する。
【００９９】
S201．第1の端末は、第1のメッセージを第1のProSeエンティティに送信し、この場合、第1のメッセージは、第1の端末によって監視されるべき端末が位置されるグループのグループ識別子を運ぶ。
【０１００】
S202．第1の端末は、第1のProSeエンティティによって送信される第2のメッセージを受信し、この場合、第2のメッセージは、第1の端末によって監視されるべき端末が位置されるグループのグループコードワードを運ぶ。
【０１０１】
S203．第1の端末は、グループコードワードを使用することにより、第1の端末により検出されるブロードキャストコードワードをフィルタリングして、少なくとも1つの第1のブロードキャストコードワードを取得する。
【０１０２】
第1のブロードキャストコードワードはグループコードワードを含む。
【０１０３】
S204．第1の端末は第1のProSeエンティティに第3のメッセージを送信し、この場合、第3のメッセージは少なくとも1つの第1のブロードキャストコードワードを運ぶ。
【０１０４】
S205．第1の端末は、第1のProSeエンティティによって送信される第4のメッセージを受信し、この場合、第4のメッセージは、第1のブロードキャストコードワードをブロードキャストする端末の端末識別子を運ぶ。
【０１０５】
このようにすると、第1の端末は、第1のブロードキャストコードワードをブロードキャストする端末を発見することができる。
【０１０６】
なお、本発明のこの実施形態における第1のメッセージ、グループコードワード、端末識別子等の具体的な説明に関しては、前述の実施形態における関連する説明を参照されたく、したがって、本発明のこの実施形態では、詳細が再び説明されない。
【０１０７】
本発明のこの実施形態で提供される端末発見方法によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０１０８】
本発明の一実施形態は、第3の端末が第1の端末によって監視されるべき端末である端末発見方法を更に提供する。図3に示されるように、この方法は以下のステップを含む。
【０１０９】
S301．第3のProSeエンティティは、第3の端末によって送信される第9のメッセージを受信し、この場合、第9のメッセージは、第3の端末の端末識別子と、第3の端末が位置されるグループのグループ識別子とを運ぶ。
【０１１０】
第3のProSeエンティティは、第3の端末のHPLMN内のProSeエンティティである。
【０１１１】
S302．第3のProSeエンティティは、グループ識別子にしたがって、第3の端末が位置されるグループのグループコードワードを取得するとともに、第3の端末の端末識別子にしたがってユーザコードワードを第3の端末に割り当てる。
【０１１２】
グループコードワードは、第3の端末が位置されるグループに対してアプリケーションサーバにより割り当てられるとともに第3のProSeエンティティを使用することにより第3の端末に送信されるコードワードであり、又は、グループコードワードは、第3の端末が位置されるグループに対して第2のProSeエンティティにより割り当てられるとともに第3のProSeエンティティを使用することにより第3の端末に送信されるコードワードである。ユーザコードワードは従来技術におけるユーザコードワードと同じであり、また、ユーザコードワードの全長は184ビット（英語：bit）である。一般に、ユーザコードワードは、占有されない幾つかののアイドルビットを含む。
【０１１３】
S303．第3のProSeエンティティは、グループコードワード及びユーザコードワードを使用することにより第1のブロードキャストコードワードを生成する。
【０１１４】
具体的には、第3のProSeエンティティは、グループコードワードをユーザコードワードのアイドルビットに書き込んで、第1のブロードキャストコードワードを生成してもよい。
【０１１５】
S304．第3のProSeエンティティは第10のメッセージを第3の端末に送信し、この場合、第10のメッセージは第1のブロードキャストコードワードを運ぶ。
【０１１６】
第10のメッセージは、第1のブロードキャストコードワードをブロードキャストするように第3の端末に指示するために使用され、それにより、第1の端末は、第1のブロードキャストコードワードを監視して、第3の端末を発見する。
【０１１７】
なお、本発明のこの実施形態におけるグループ識別子、端末識別子等の具体的な説明に関しては、前述の実施形態における関連する説明を参照されたく、したがって、本発明のこの実施形態では、詳細が再び説明されない。
【０１１８】
本発明のこの実施形態で提供される端末発見方法によれば、第3のProSeエンティティによって第3の端末に割り当てられる第1のブロードキャストコードワードは、グループコードワードを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０１１９】
また、S302では、第3の端末が位置されるグループのグループコードワードをグループ識別子にしたがって第3のProSeエンティティが取得する3つのケースがある。
【０１２０】
グループコードワードが、第3の端末が位置されるグループに対してアプリケーションサーバにより割り当てられるコードワードである場合、S302は具体的に以下を含んでもよい。
【０１２１】
S302a．第3のProSeエンティティは第11のメッセージをアプリケーションサーバに送信し、この場合、第11のメッセージはグループ識別子を運ぶ。
【０１２２】
第11のメッセージは、第3の端末が位置されるグループにコードワードを割り当てるようにアプリケーションサーバに要求するために使用される。
【０１２３】
S302b．第3のProSeエンティティは、アプリケーションサーバにより送信される第12のメッセージを受信し、この場合、第12のメッセージはグループコードワードを運ぶ。
【０１２４】
グループコードワードが、第3の端末が位置されるグループに対して第2のProSeエンティティにより割り当てられるコードワードであるとともに、第3のProSeエンティティと第2のProSeエンティティとが同じProSeエンティティである（すなわち、第3の端末と第2の端末とが同じHPLMNに属し、第2の端末は、第3の端末が位置されるグループのグループ管理装置であり、第2のProSeエンティティが第2の端末のHPLMN内のProSeエンティティである）場合、S302は具体的に以下を含んでもよい。
【０１２５】
S302c．第3のProSeエンティティは、グループ識別子にしたがってグループコードワードを生成する。
【０１２６】
グループコードワードが、第3の端末が位置されるグループに対して第2のProSeエンティティにより割り当てられるコードワードであるとともに、第3の端末と第2の端末とが異なるHPLMNに属する場合、S302は具体的に以下を含んでもよい。
【０１２７】
S302d．第3のProSeエンティティは第13のメッセージを第2のProSeエンティティに送信し、この場合、第13のメッセージはグループ識別子を運ぶ。
【０１２８】
第13のメッセージは、第3の端末が位置されるグループにコードワードを割り当てるように第2のProSeエンティティに要求するために使用される。
【０１２９】
S302e．第3のProSeエンティティは、第2のProSeエンティティによって送信される第14のメッセージを受信し、この場合、第14のメッセージはグループコードワードを運ぶ。
【０１３０】
本発明のこの実施形態の解決策において、グループ識別子は、第3の端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。この解決策では、アプリケーショングループ識別子及びアプリケーション層ユーザ識別子が第3のProSeエンティティには見えないため、これにより、アプリケーショングループ識別子及びアプリケーション層ユーザ識別子などの個人情報が第三者のモバイルオペレータ（第3のProSeエンティティを与えるモバイルオペレータ）に漏れることを防止できる。
【０１３１】
本発明の一実施形態は、第3の端末が第1の端末によって監視されるべき端末である端末発見方法を更に提供する。図4に示されるように、この方法は以下のステップを含む。
【０１３２】
S401．第3の端末は、第9のメッセージを第3のProSeエンティティに送信し、この場合、第9のメッセージは、第3の端末の端末識別子と、第3の端末が位置されるグループのグループ識別子とを運ぶ。
【０１３３】
S402．第3の端末は、第3のProSeエンティティによって送信される第10のメッセージを受信し、この場合、第10のメッセージは第1のブロードキャストコードワードを運び、また、第1のブロードキャストコードワードは、第3の端末が位置されるグループのグループコードワードと、第3の端末のユーザコードワードとを含む。
【０１３４】
S403．第3の端末は、第1のブロードキャストコードワードをブロードキャストする。
【０１３５】
なお、本発明のこの実施形態におけるグループ識別子、グループコードワード、ユーザコードワード、端末識別子等の具体的な説明に関しては、前述の実施形態における関連する説明を参照されたく、したがって、本発明のこの実施形態では、詳細が再び説明されない。
【０１３６】
本発明のこの実施形態で提供される端末発見方法によれば、第3の端末によりブロードキャストされる第1のブロードキャストコードワードは、第3の端末が位置されるグループのグループコードワードと、第3の端末のユーザコードワードとを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０１３７】
本発明の一実施形態は、端末発見方法を更に提供する。具体的には、第3の端末、第3のProSeエンティティ、及び、アプリケーションサーバの間の相互作用は、説明のための一例として使用され、また、グループコードワードは、第3の端末が位置されるグループに対してアプリケーションサーバにより割り当てられるコードワードである。図5に示されるように、この方法は以下のステップを含む。
【０１３８】
S501．第3の端末は、第9のメッセージを第3のProSeエンティティに送信し、この場合、第9のメッセージは、第3の端末の端末識別子と、第3の端末が位置されるグループのグループ識別子とを運ぶ。
【０１３９】
第3のProSeエンティティは、第3の端末のHPLMN内のProSeエンティティである。
【０１４０】
S502．第3のProSeエンティティは第11のメッセージをアプリケーションサーバに送信し、この場合、第11のメッセージはグループ識別子を運ぶ。
【０１４１】
第11のメッセージは、第3の端末が位置されるグループにコードワードを割り当てるようにアプリケーションサーバに要求するために使用される。
【０１４２】
S503．アプリケーションサーバは、グループ識別子にしたがってグループコードワードを生成する。
【０１４３】
S504．アプリケーションサーバは、第12のメッセージを第3のProSeエンティティに送信し、この場合、第12のメッセージはグループコードワードを運ぶ。
【０１４４】
S505．第3のProSeエンティティは、第3の端末の端末識別子にしたがって第3の端末にユーザコードワードを割り当てる。
【０１４５】
S506．第3のProSeエンティティは、グループコードワード及びユーザコードワードを使用することにより第1のブロードキャストコードワードを生成する。
【０１４６】
S507．第3のProSeエンティティは第10のメッセージを第3の端末に送信し、この場合、第10のメッセージは第1のブロードキャストコードワードを運ぶ。
【０１４７】
第10のメッセージは、第1のブロードキャストコードワードをブロードキャストするように第3の端末に指示するために使用される。
【０１４８】
S508．第3の端末は、第1のブロードキャストコードワードをブロードキャストする。
【０１４９】
なお、本発明のこの実施形態におけるグループ識別子、グループコードワード、ユーザコードワード、端末識別子等の具体的な説明に関しては、前述の実施形態における関連する説明を参照されたく、したがって、本発明のこの実施形態では、詳細が再び説明されない。
【０１５０】
本発明のこの実施形態で提供される端末発見方法によれば、第3のProSeエンティティによって第3の端末に割り当てられる第1のブロードキャストコードワードは、グループコードワードを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０１５１】
本発明の一実施形態は、端末発見方法を更に提供する。具体的には、第3の端末と第3のProSeエンティティとの間の相互作用は、説明のための一例として使用され、グループコードワードは、第3の端末が位置されるグループに対して第2のProSeエンティティにより割り当てられるコードワードであり、また、第3のProSeエンティティ及び第2のProSeエンティティは同じProSeエンティティである。図6に示されるように、この方法は以下のステップを含む。
【０１５２】
S601．第3の端末は、第9のメッセージを第3のProSeエンティティに送信し、この場合、第9のメッセージは、第3の端末の端末識別子と、第3の端末が位置されるグループのグループ識別子とを運ぶ。
【０１５３】
第3のProSeエンティティは、第3の端末のHPLMN内のProSeエンティティである。
【０１５４】
S602．第3のProSeエンティティは、グループ識別子にしたがってグループコードワードを生成する。
【０１５５】
S603．第3のProSeエンティティは、第3の端末の端末識別子にしたがって第3の端末にユーザコードワードを割り当てる。
【０１５６】
S604．第3のProSeエンティティは、グループコードワード及びユーザコードワードを使用することにより第1のブロードキャストコードワードを生成する。
【０１５７】
S605．第3のProSeエンティティは第10のメッセージを第3の端末に送信し、この場合、第10のメッセージは第1のブロードキャストコードワードを運ぶ。
【０１５８】
第10のメッセージは、第1のブロードキャストコードワードをブロードキャストするように第3の端末に指示するために使用される。
【０１５９】
S606．第3の端末は、第1のブロードキャストコードワードをブロードキャストする。
【０１６０】
なお、本発明のこの実施形態におけるグループ識別子、グループコードワード、ユーザコードワード、端末識別子等の具体的な説明に関しては、前述の実施形態における関連する説明を参照されたく、したがって、本発明のこの実施形態では、詳細が再び説明されない。
【０１６１】
本発明のこの実施形態で提供される端末発見方法によれば、第3のProSeエンティティによって第3の端末に割り当てられる第1のブロードキャストコードワードは、グループコードワードを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０１６２】
本発明の一実施形態は、端末発見方法を更に提供する。具体的には、第3の端末、第3のProSeエンティティ、及び、第2のProSeエンティティの間の相互作用は、説明のための一例として使用され、グループコードワードは、第3の端末が位置されるグループに対して第2のProSeエンティティにより割り当てられるコードワードであり、また、第3のProSeエンティティ及び第2のProSeエンティティは異なっている。図7に示されるように、この方法は以下のステップを含む。
【０１６３】
S701．第3の端末は、第9のメッセージを第3のProSeエンティティに送信し、この場合、第9のメッセージは、第3の端末の端末識別子と、第3の端末が位置されるグループのグループ識別子とを運ぶ。
【０１６４】
第3のProSeエンティティは、第3の端末のHPLMN内のProSeエンティティである。
【０１６５】
S702．第3のProSeエンティティは第13のメッセージを第2のProSeエンティティに送信し、この場合、第13のメッセージはグループ識別子を運ぶ。
【０１６６】
第13のメッセージは、第3の端末が位置されるグループにコードワードを割り当てるように第2のProSeエンティティに要求するために使用され、第2のProSeエンティティは、第2の端末のHPLMN内のProSeエンティティであり、また、第2の端末は、第3の端末が位置されるグループのグループ管理装置である。
【０１６７】
S703．第2のProSeエンティティは、グループ識別子にしたがってグループコードワードを生成する。
【０１６８】
S704．第2のProSeエンティティは第14のメッセージを第3のProSeエンティティに送信し、この場合、第14のメッセージはグループコードワードを運ぶ。
【０１６９】
S705．第3のProSeエンティティは、第3の端末の端末識別子にしたがって第3の端末にユーザコードワードを割り当てる。
【０１７０】
S706．第3のProSeエンティティは、グループコードワード及びユーザコードワードを使用することにより第1のブロードキャストコードワードを生成する。
【０１７１】
S707．第3のProSeエンティティは第10のメッセージを第3の端末に送信し、この場合、第10のメッセージは第1のブロードキャストコードワードを運ぶ。
【０１７２】
第10のメッセージは、第1のブロードキャストコードワードをブロードキャストするように第3の端末に指示するために使用される。
【０１７３】
S708．第3の端末は、第1のブロードキャストコードワードをブロードキャストする。
【０１７４】
なお、本発明のこの実施形態におけるグループ識別子、グループコードワード、ユーザコードワード、端末識別子等の具体的な説明に関しては、前述の実施形態における関連する説明を参照されたく、したがって、本発明のこの実施形態では、詳細が再び説明されない。
【０１７５】
本発明のこの実施形態で提供される端末発見方法によれば、第3のProSeエンティティによって第3の端末に割り当てられる第1のブロードキャストコードワードは、グループコードワードを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０１７６】
本発明の一実施形態は、端末発見方法を更に提供する。具体的には、第1の端末、第1のProSeエンティティ、及び、アプリケーションサーバの間の相互作用は、説明のための一例として使用され、また、グループコードワードは、第1の端末によって監視されるべき端末が位置されるグループに対してアプリケーションサーバにより割り当てられるコードワードである。図8に示されるように、この方法は以下のステップを含む。
【０１７７】
S801．第1の端末は、第1のメッセージを第1のProSeエンティティに送信し、この場合、第1のメッセージは、第1の端末によって監視されるべき端末が位置されるグループのグループ識別子を運ぶ。
【０１７８】
S802．第1のProSeエンティティは第5のメッセージをアプリケーションサーバに送信し、この場合、第5のメッセージはグループ識別子を運ぶ。
【０１７９】
第5のメッセージは、第1の端末によって監視されるべき端末が位置されるグループに対してコードワードを割り当てるようにアプリケーションサーバに要求するために使用される。
【０１８０】
S803．アプリケーションサーバは、グループ識別子にしたがってグループコードワードを生成する。
【０１８１】
S804．アプリケーションサーバは、第6のメッセージを第1のProSeエンティティに送信し、この場合、第6のメッセージはグループコードワードを運ぶ。
【０１８２】
S805．第1のProSeエンティティは第2のメッセージを第1の端末に送信し、この場合、第2のメッセージはグループコードワードを運ぶ。
【０１８３】
S806．第1の端末は、グループコードワードを使用することによって、第1の端末により検出されるブロードキャストコードワードをフィルタリングして、少なくとも1つのブロードキャストコードワードを取得する。
【０１８４】
第1のブロードキャストコードワードは、第1のブロードキャストコードワードをブロードキャストする端末のユーザコードワードを更に含む。
【０１８５】
S807．第1の端末は、第3のメッセージを第1のProSeエンティティに送信し、この場合、第3のメッセージは、少なくとも1つのブロードキャストコードワードを運ぶ。
【０１８６】
S808．第1のProSeエンティティは、ユーザコードワードにしたがって、第1のブロードキャストコードワードをブロードキャストする端末の端末識別子を取得する。
【０１８７】
S809．第1のProSeエンティティは第4のメッセージを第1の端末に送信し、この場合、第4のメッセージは端末識別子を運ぶ。
【０１８８】
なお、本発明のこの実施形態におけるグループ識別子、グループコードワード、ユーザコードワード、端末識別子等の具体的な説明に関しては、前述の実施形態における関連する説明を参照されたく、したがって、本発明のこの実施形態では、詳細が再び説明されない。
【０１８９】
本発明のこの実施形態で提供される端末発見方法によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０１９０】
本発明の一実施形態は、端末発見方法を更に提供する。具体的には、第1の端末と第1のProSeエンティティとの間の相互作用は、説明のための一例として使用され、グループコードワードは、第1の端末によって監視されるべき端末が位置されるグループに対して第2のProSeエンティティにより割り当てられるコードワードであり、また、第1のProSeエンティティ及び第2のProSeエンティティは同じProSeエンティティである。図9に示されるように、この方法は以下のステップを含む。
【０１９１】
S901．第1の端末は、第1のメッセージを第1のProSeエンティティに送信し、この場合、第1のメッセージは、第1の端末によって監視されるべき端末が位置されるグループのグループ識別子を運ぶ。
【０１９２】
S902．第1のProSeエンティティは、グループ識別子にしたがってグループコードワードを生成する。
【０１９３】
S903．第1のProSeエンティティは第2のメッセージを第1の端末に送信し、この場合、第2のメッセージはグループコードワードを運ぶ。
【０１９４】
S904．第1の端末は、グループコードワードを使用することによって、第1の端末により検出されるブロードキャストコードワードをフィルタリングして、少なくとも1つのブロードキャストコードワードを取得する。
【０１９５】
第1のブロードキャストコードワードは、第1のブロードキャストコードワードをブロードキャストする端末のユーザコードワードを更に含む。
【０１９６】
S905．第1の端末は、第3のメッセージを第1のProSeエンティティに送信し、この場合、第3のメッセージは、少なくとも1つのブロードキャストコードワードを運ぶ。
【０１９７】
S906．第1のProSeエンティティは、ユーザコードワードにしたがって、第1のブロードキャストコードワードをブロードキャストする端末の端末識別子を取得する。
【０１９８】
S907．第1のProSeエンティティは第4のメッセージを第1の端末に送信し、この場合、第4のメッセージは端末識別子を運ぶ。
【０１９９】
なお、本発明のこの実施形態におけるグループ識別子、グループコードワード、ユーザコードワード、端末識別子等の具体的な説明に関しては、前述の実施形態における関連する説明を参照されたく、したがって、本発明のこの実施形態では、詳細が再び説明されない。
【０２００】
本発明のこの実施形態で提供される端末発見方法によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０２０１】
本発明の一実施形態は、端末発見方法を更に提供する。具体的には、第1の端末、第1のProSeエンティティ、第2のProSeエンティティの間の相互作用を説明のための例として使用し、グループコードワードは、第2のProSeエンティティによって、監視されるべき端末第1のProSeエンティティと第2のProSeエンティティとは異なる。図10に示されように、この方法は以下のステップを含む。
【０２０２】
S1001．第1の端末は、第1のメッセージを第1のProSeエンティティに送信し、この場合、第1のメッセージは、第1の端末によって監視されるべき端末が位置されるグループのグループ識別子を運ぶ。
【０２０３】
S1002．第1のProSeエンティティは第7のメッセージを第2のProSeエンティティに送信し、この場合、第7のメッセージはグループ識別子を運ぶ。
【０２０４】
第7のメッセージは、第1の端末によって監視されるべき端末が位置されるグループにコードワードを割り当てるように第2のProSeエンティティに要求するために使用され、第2のProSeエンティティは、第2の端末のHPLMN内のProSeエンティティであり、また、第2の端末は、第1の端末によって監視されるべき端末が位置されるグループのグループ管理装置である。
【０２０５】
S1003．第2のProSeエンティティは、グループ識別子にしたがってグループコードワードを生成する。
【０２０６】
S1004．第2のProSeエンティティは第8のメッセージを第1のProSeエンティティに送信し、この場合、第8のメッセージはグループコードワードを運ぶ。
【０２０７】
S1005．第1のProSeエンティティは第2のメッセージを第1の端末に送信し、この場合、第2のメッセージはグループコードワードを運ぶ。
【０２０８】
S1006．第1の端末は、グループコードワードを使用することによって、第1の端末により検出されるブロードキャストコードワードをフィルタリングして、少なくとも1つのブロードキャストコードワードを取得する。
【０２０９】
第1のブロードキャストコードワードは、第1のブロードキャストコードワードをブロードキャストする端末のユーザコードワードを更に含む。
【０２１０】
S1007．第1の端末は、第3のメッセージを第1のProSeエンティティに送信し、この場合、第3のメッセージは、少なくとも1つのブロードキャストコードワードを運ぶ。
【０２１１】
S1008．第1のProSeエンティティは、ユーザコードワードにしたがって、第1のブロードキャストコードワードをブロードキャストする端末の端末識別子を取得する。
【０２１２】
S1009．第1のProSeエンティティは第4のメッセージを第1の端末に送信し、この場合、第4のメッセージは端末識別子を運ぶ。
【０２１３】
なお、本発明のこの実施形態におけるグループ識別子、グループコードワード、ユーザコードワード、端末識別子等の具体的な説明に関しては、前述の実施形態における関連する説明を参照されたく、したがって、本発明のこの実施形態では、詳細が再び説明されない。
【０２１４】
本発明のこの実施形態で提供される端末発見方法によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０２１５】
本発明の一実施形態は、図1、図8、図9、及び、図10に示される端末発見方法を実行するように構成される、第1のProSeエンティティの機能を実装するための装置を更に提供する。図11に示されるように、この装置は、受信ユニット1101、取得ユニット1102、及び、送信ユニット1103を備える。
【０２１６】
受信ユニット1101は、第1の端末によって送信される第1のメッセージを受信するように構成され、この場合、第1のメッセージは、第1の端末によって監視されるべき端末が位置されるグループのグループ識別子を運ぶ。
【０２１７】
取得ユニット1102は、グループ識別子にしたがって、第1の端末によって監視されるべき端末が位置されるグループのグループコードワードを取得するように構成される。
【０２１８】
送信ユニット1103は、第2のメッセージを第1の端末に送信するように構成され、この場合、第2のメッセージはグループコードワードを運ぶ。
【０２１９】
受信ユニット1101は、第1の端末によって送信される第3のメッセージを受信するように更に構成され、この場合、第3のメッセージは、少なくとも1つの第1のブロードキャストコードワードを運び、第1のブロードキャストコードワードは、第1の端末によって検出されるブロードキャストコードワードのうちの1つであるとともにグループコードワードを含むブロードキャストコードワードであり、また、第1のブロードキャストコードワードは、第1のブロードキャストコードワードをブロードキャストする端末のユーザコードワードを更に含む。
【０２２０】
取得ユニット1102は、ユーザコードワードにしたがって、第1のブロードキャストコードワードをブロードキャストする端末の端末識別子を取得するように更に構成される。
【０２２１】
送信ユニット1103は、第4のメッセージを第1の端末に送信するように更に構成され、この場合、第4のメッセージは端末識別子を運ぶ。
【０２２２】
また、第1のケースでは、図12に示されるように、取得ユニット1102は、第1の送信モジュール1102aと第1の受信モジュール1102bとを含む。
【０２２３】
第1の送信モジュール1102aは、第5のメッセージをアプリケーションサーバに送信するように構成され、この場合、第5のメッセージはグループ識別子を運び、また、第5のメッセージは、第1の端末によって監視されるべき端末が位置されるグループにコードワードを割り当てるようにアプリケーションサーバに要求するために使用される。
【０２２４】
第1の受信モジュール1102bは、アプリケーションサーバによって送信される第6のメッセージを受信するように構成され、この場合、第6のメッセージはグループコードワードを運ぶ。
【０２２５】
更に、第2のケースにおいて、取得ユニット1102は、グループ識別子にしたがってグループコードワードを生成するように特に構成される。
【０２２６】
更に、第3のケースでは、図13に示されるように、取得ユニット1102は、第2の送信モジュール1102cと第2の受信モジュール1102dとを含む。
【０２２７】
第2の送信モジュール1102cは、第7のメッセージを第2のProSeエンティティに送信するように構成され、この場合、第7のメッセージはグループ識別子を運び、第7のメッセージは、第1の端末によって監視されるべき端末が位置されるグループにコードワードを割り当てるように第2のProSeエンティティに要求するために使用され、第2のProSeエンティティは、第2の端末のHPLMN内のProSeエンティティであり、また、第2の端末は、第1の端末によって監視されるべき端末が位置されるグループのグループ管理装置である。
【０２２８】
第2の受信モジュール1102dは、第2のProSeエンティティによって送信される第8のメッセージを受信するように構成され、この場合、第8のメッセージはグループコードワードを運ぶ。
【０２２９】
随意的には、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【０２３０】
なお、本発明のこの実施形態で提供される第1のProSeエンティティの機能を実装するための装置における幾つかの機能モジュールの具体的な説明に関しては、方法の実施形態における対応する内容を参照されたく、したがって、本発明のこの実施形態では、詳細が再び説明されない。
【０２３１】
本発明のこの実施形態で提供される第1のProSeエンティティの機能を実装するための装置によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０２３２】
本発明の一実施形態は、図2、図8、図9、及び、図10に示される端末発見方法を実行するように構成される、第1の端末を更に提供する。図14に示されるように、第1の端末は、送信ユニット1201、受信ユニット1202、及び、フィルタリングユニット1203とを含む。
【０２３３】
送信ユニット1201は、第1のメッセージを第1のProSeエンティティに送信するように構成され、この場合、第1のメッセージは、第1の端末によって監視されるべき端末が位置されるグループのグループ識別子を運ぶ。
【０２３４】
受信ユニット1202は、第1のProSeエンティティによって送信される第2のメッセージを受信するように構成され、この場合、第2のメッセージは、第1の端末によって監視されるべき端末が位置されるグループのグループコードワードを運ぶ。
【０２３５】
フィルタリングユニット1203は、グループコードワードを使用することによって、第1の端末により検出されるブロードキャストコードワードをフィルタリングして、少なくとも1つの第1のブロードキャストコードワードを取得するように構成され、この場合、第1のブロードキャストコードワードがグループコードワードを含む。
【０２３６】
送信ユニット1201は、第3のメッセージを第1のProSeエンティティに送信するように更に構成され、この場合、第3のメッセージは、少なくとも1つの第1のブロードキャストコードワードを運ぶ。
【０２３７】
受信ユニット1202は、第1のProSeエンティティによって送信される第4のメッセージを受信するように更に構成され、この場合、第4のメッセージは、第1のブロードキャストコードワードをブロードキャストする端末の端末識別子を運ぶ。
【０２３８】
随意的には、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【０２３９】
なお、本発明のこの実施形態で提供される第1の端末における幾つかの機能モジュールの具体的な説明に関しては、方法の実施形態における対応する内容を参照されたく、したがって、本発明のこの実施形態では、詳細が再び説明されない。
【０２４０】
本発明のこの実施形態で提供される第1の端末によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０２４１】
本発明の一実施形態は、図3、図5、図6、及び、図7に示される端末発見方法を実行するように構成される、第3のProSeエンティティの機能を実装するための装置を更に提供する。図15に示されるように、この装置は、受信ユニット1301、取得ユニット1302と、生成ユニット1303、及び、送信ユニット1304とを備える。
【０２４２】
受信ユニット1301は、第3の端末によって送信される第9のメッセージを受信するように構成され、この場合、第9のメッセージは、第3の端末の端末識別子と、第3の端末が位置されるグループのグループ識別子とを運ぶ。
【０２４３】
取得ユニット1302は、グループ識別子にしたがって、第3の端末が位置されるグループのグループコードワードを取得するとともに、第3の端末の端末識別子にしたがって第3の端末にユーザコードワードを割り当てるように構成される。
【０２４４】
生成ユニット1303は、グループコードワードとユーザコードワードとを使用することによって第1のブロードキャストコードワードを生成するように構成される。
【０２４５】
送信ユニット1304は、第10のメッセージを第3の端末に送信するように構成され、この場合、第10のメッセージは第1のブロードキャストコードワードを運び、また、第10のメッセージは、第1のブロードキャストコードワードをブロードキャストするように第3の端末に指示するために使用される。
【０２４６】
また、第1のケースでは、図16に示されるように、取得ユニット1302が第1の送信モジュール1302aと第1の受信モジュール1302bとを含む。
【０２４７】
第1の送信モジュール1302aは、第11のメッセージをアプリケーションサーバに送信するように構成され、この場合、第11のメッセージはグループ識別子を運び、また、第11のメッセージは、第3の端末が位置されるグループにコードワードを割り当てるようにアプリケーションサーバに要求するために使用される。
【０２４８】
第1の受信モジュール1302bは、アプリケーションサーバによって送信される第12のメッセージを受信するように構成され、この場合、第12のメッセージはグループコードワードを運ぶ。
【０２４９】
更に、第2のケースにおいて、取得ユニット1302は、グループ識別子にしたがってグループコードワードを生成するように特に構成される。
【０２５０】
また、第3のケースでは、図17に示されるように、取得ユニット1302が第2の送信モジュール1302cと第2の受信モジュール1302dとを含む。
【０２５１】
第2の送信モジュール1302cは、第13のメッセージを第2のProSeエンティティに送信するように構成され、この場合、第13のメッセージはグループ識別子を運び、第13のメッセージは、第3の端末が位置されるグループにコードワードを割り当てるように第2のProSeエンティティに要求するために使用され、第2のProSeエンティティは、第2の端末のHPLMN内のProSeエンティティであり、また、第2の端末は、第3の端末が位置されるグループのグループ管理装置である。
【０２５２】
第2の受信モジュール1302dは、第2のProSeエンティティによって送信される第14のメッセージを受信するように構成され、この場合、第14のメッセージはグループコードワードを運ぶ。
【０２５３】
随意的には、グループ識別子は、第3の端末が位置されるグループに対してアプリケーションサーバにより割り当てられる仮識別子であり、また、第3の端末の端末識別子は、アプリケーションサーバによって第3の端末に割り当てられる仮識別子である。
【０２５４】
なお、本発明のこの実施形態で提供される第3のProSeエンティティの機能を実装するための装置における幾つかの機能モジュールの具体的な説明に関しては、方法の実施形態における対応する内容を参照されたく、したがって、本発明のこの実施形態では、詳細が再び説明されない。
【０２５５】
本発明のこの実施形態で提供される第3のProSeエンティティの機能を実装するための装置によれば、第3のProSeエンティティによって第3の端末に割り当てられる第1のブロードキャストコードワードは、グループコードワードを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０２５６】
本発明の一実施形態は、図4、図5、図6、及び、図7に示される端末発見方法を実行するように構成される第3の端末を更に提供する。図18に示されるように、第3の端末は、送信ユニット1401、受信ユニット1402、及び、ブロードキャストユニット1403を含む。
【０２５７】
送信ユニット1401は、第9のメッセージを第3のProSeエンティティに送信するように構成され、この場合、第9のメッセージは、第3の端末の端末識別子と、第3の端末が位置されるグループのグループ識別子とを運ぶ。
【０２５８】
受信ユニット1402は、第3のProSeエンティティによって送信される第10のメッセージを受信するように構成され、この場合、第10のメッセージは第1のブロードキャストコードワードを運び、また、第1のブロードキャストコードワードは、第3の端末が位置されるグループのグループコードワードと、第3の端末のユーザコードワードとを含む。
【０２５９】
ブロードキャストユニット1403は、第1のブロードキャストコードワードをブロードキャストするように構成される。
【０２６０】
随意的には、グループ識別子は、第3の端末が位置されるグループに対してアプリケーションサーバにより割り当てられる仮識別子であり、また、第3の端末の端末識別子は、アプリケーションサーバによって第3の端末に割り当てられる仮識別子である。
【０２６１】
なお、本発明のこの実施形態で提供される第3の端末における幾つかの機能モジュールの具体的な説明に関しては、方法の実施形態における対応する内容を参照されたく、したがって、本発明のこの実施形態では、詳細が再び説明されない。
【０２６２】
本発明のこの実施形態で提供される第3の端末によれば、第3の端末によりブロードキャストされる第1のブロードキャストコードワードは、第3の端末が位置されるグループのグループコードワードと、第3の端末のユーザコードワードとを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０２６３】
本発明の一実施形態は、図1、図8、図9、及び、図10に示される端末発見方法を実行するように構成される、第1のProSeエンティティの機能を実装するための装置を更に提供する。図19に示されるように、この装置は、受信器1501、プロセッサ1502、及び、送信器1503を含む。
【０２６４】
受信器1501は、第1の端末によって送信される第1のメッセージを受信するように構成され、この場合、第1のメッセージは、第1の端末によって監視されるべき端末が位置されるグループのグループ識別子を運ぶ。
【０２６５】
プロセッサ1502は、グループ識別子にしたがって、第1の端末によって監視されるべき端末が位置されるグループのグループコードワードを取得するように構成される。
【０２６６】
送信器1503は、第2のメッセージを第1の端末に送信するように構成され、この場合、第2のメッセージはグループコードワードを運ぶ。
【０２６７】
受信器1501は、第1の端末によって送信される第3のメッセージを受信するように更に構成され、この場合、第3のメッセージは、少なくとも1つの第1のブロードキャストコードワードを運び、第1のブロードキャストコードワードは、第1の端末によって検出されるブロードキャストコードワードのうちの1つであるとともにグループコードワードを含むブロードキャストコードワードであり、また、第1のブロードキャストコードワードは、第1のブロードキャストコードワードをブロードキャストする端末のユーザコードワードを更に含む。
【０２６８】
プロセッサ1502は、ユーザコードワードにしたがって、第1のブロードキャストコードワードをブロードキャストする端末の端末識別子を取得するように更に構成される。
【０２６９】
送信器1503は、第4のメッセージを第1の端末に送信するように更に構成され、この場合、第4のメッセージは端末識別子を運ぶ。
【０２７０】
更に、第1のケースにおいて、送信器1503は、第5のメッセージをアプリケーションサーバに送信するように更に構成され、この場合、第5のメッセージはグループ識別子を運び、また、第5のメッセージは、第1の端末によって監視されるべき端末が位置されるグループにコードワードを割り当てるようにアプリケーションサーバに要求するために使用される。
【０２７１】
受信器1501は、アプリケーションサーバによって送信される第6のメッセージを受信するように更に構成され、この場合、第6のメッセージはグループコードワードを運ぶ。
【０２７２】
更に、第2のケースにおいて、プロセッサ1502は、グループ識別子にしたがってグループコードワードを生成するように特に構成される。
【０２７３】
更に、第3のケースにおいて、送信器1503は、第7のメッセージを第2のProSeエンティティに送信するように更に構成され、この場合、第7のメッセージはグループ識別子を運び、第7のメッセージは、第1の端末によって監視されるべき端末が位置されるグループにコードワードを割り当てるように第2のProSeエンティティに要求するために使用され、第2のProSeエンティティは、第2の端末のHPLMN内のProSeエンティティであり、また、第2の端末は、第1の端末によって監視されるべき端末が位置されるグループのグループ管理装置である。
【０２７４】
受信器1501は、第2のProSeエンティティによって送信される第8のメッセージを受信するように更に構成され、この場合、第8のメッセージはグループコードワードを運ぶ。
【０２７５】
随意的には、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【０２７６】
受信器1501、プロセッサ1502、及び、送信器1503は、相互接続されて、バスを使用することにより相互通信を完了する。
【０２７７】
プロセッサ1502は、中央処理ユニット（英語：Central Processing Unit、略してCPU）であってもよく、又は、CPUとデジタル信号プロセッサ（英語：Digital Signal Processor、略してDSP）との組み合わせであってもよい。
【０２７８】
受信器1501及び送信器1503は、アンテナを使用することによって無線信号を送受信する機器であってもよく、又は、信号の送受信インタフェースを与える他の機器であってもよい。
【０２７９】
なお、本発明のこの実施形態で提供される第1のProSeエンティティの機能を実装するための装置における幾つかの機能モジュールの具体的な説明に関しては、方法の実施形態における対応する内容を参照されたく、したがって、本発明のこの実施形態では、詳細が再び説明されない。本発明のこの実施形態で提供される第1のProSeエンティティの機能を実装するための装置は、コアネットワーク内の新たな別個の装置であってもよく、また、ProSeエンティティの機能のみを与え、或いは、第1のProSeエンティティの機能を実装するための装置は、モビリティ管理エンティティ（英語：mobile managenment entity、略してMME）などのコアネットワーク内の既存の装置に第1のProSeエンティティの機能を付加することによって得られてもよい。
【０２８０】
本発明のこの実施形態で提供される第1のProSeエンティティの機能を実装するための装置によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０２８１】
本発明の一実施形態は、図2、図8、図9、及び、図10に示される端末発見方法を実行するように構成される、第1の端末を更に提供する。図20に示されるように、第1の端末は、送信器1601、受信器1602、及び、プロセッサ1603を含む。
【０２８２】
送信器1601は、第1のメッセージを第1のProSeエンティティに送信するように構成され、この場合、第1のメッセージは、第1の端末によって監視されるべき端末が位置されるグループのグループ識別子を運ぶ。
【０２８３】
受信器1602は、第1のProSeエンティティによって送信される第2のメッセージを受信するように構成され、この場合、第2のメッセージは、第1の端末によって監視されるべき端末が位置されるグループのグループコードワードを運ぶ。
【０２８４】
プロセッサ1603は、グループコードワードを使用することによって、第1の端末により検出されるブロードキャストコードワードをフィルタリングして、少なくとも1つの第1のブロードキャストコードワードを取得するように構成され、この場合、第1のブロードキャストコードワードがグループコードワードを含む。
【０２８５】
送信器1601は、第3のメッセージを第1のProSeエンティティに送信するように更に構成され、この場合、第3のメッセージは、少なくとも1つの第1のブロードキャストコードワードを運ぶ。
【０２８６】
受信器1602は、第1のProSeエンティティによって送信される第4のメッセージを受信するように更に構成され、この場合、第4のメッセージは、第1のブロードキャストコードワードをブロードキャストする端末の端末識別子を運ぶ。
【０２８７】
随意的には、グループ識別子は、第1の端末によって監視されるべき端末が位置されるグループに対してアプリケーションサーバにより割り当てられる仮識別子であり、また、端末識別子は、第1のブロードキャストコードワードをブロードキャストする端末に対してアプリケーションサーバにより割り当てられる仮識別子である。
【０２８８】
送信器1601、受信器1602、及び、プロセッサ1603は、相互接続されて、バスを使用することにより相互通信を完了する。
【０２８９】
プロセッサ1603は、CPUであってもよく、又は、CPUとDSPとの組み合わせであってもよい。
【０２９０】
送信器1601及び受信器1602は、アンテナを使用することによって無線信号を送受信する機器であってもよく、又は、信号の送受信インタフェースを与える他の機器であってもよい。
【０２９１】
なお、本発明のこの実施形態で提供される第1の端末における幾つかの機能モジュールの具体的な説明に関しては、方法の実施形態における対応する内容を参照されたく、したがって、本発明のこの実施形態では、詳細が再び説明されない。
【０２９２】
本発明のこの実施形態で提供される第1の端末によれば、それぞれの第1のブロードキャストコードワードがグループコードワードを含むため、第1の端末がグループの複数の端末を監視する必要がある場合、第1の端末は、グループコードワード（グループコードワードはブロードキャストコードワードの一部である）を使用することによって、第1の端末により検出されるブロードキャストコードワードを1回フィルタリングするだけで済み、グループの複数の端末のブロードキャストコードワード（複数のブロードキャストコードワード）を使用することによって第1の端末により検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０２９３】
本発明の一実施形態は、図3、図5、図6、及び、図7に示される端末発見方法を実行するように構成される、第3のProSeエンティティの機能を実装するための装置を更に提供する。図21に示されるように、この装置は、受信器1701、プロセッサ1702、及び、送信器1703を含む。
【０２９４】
受信器1701は、第3の端末によって送信される第9のメッセージを受信するように構成され、この場合、第9のメッセージは、第3の端末の端末識別子と、第3の端末が位置されるグループのグループ識別子とを運ぶ。
【０２９５】
プロセッサ1702は、グループ識別子にしたがって、第3の端末が位置されるグループのグループコードワードを取得して、第3の端末の端末識別子にしたがってユーザコードワードを第3の端末に割り当てるとともに、グループコードワードとユーザコードワードとを使用することにより第1のブロードキャストコードワードを生成するように構成される。
【０２９６】
送信器1703は、第10のメッセージを第3の端末に送信するように構成され、この場合、第10のメッセージは第1のブロードキャストコードワードを運び、また、第10のメッセージは、第1のブロードキャストコードワードをブロードキャストするように第3の端末に指示するために使用される。
【０２９７】
更に、第1のケースにおいて、送信器1703は、第11のメッセージをアプリケーションサーバに送信するように更に構成され、この場合、第11のメッセージはグループ識別子を運び、また、第11のメッセージは、第3の端末が位置されるグループにコードワードを割り当てるようにアプリケーションサーバに要求するために使用される。
【０２９８】
受信器1701は、アプリケーションサーバによって送信される第12のメッセージを受信するように更に構成され、この場合、第12のメッセージはグループコードワードを運ぶ。
【０２９９】
更に、第2のケースにおいて、プロセッサ1702は、グループ識別子にしたがってグループコードワードを生成するように特に構成される。
【０３００】
更に、第3のケースにおいて、送信器1703は、第13のメッセージを第2のProSeエンティティに送信するように更に構成され、この場合、第13のメッセージはグループ識別子を運び、第13のメッセージは、第3の端末が位置されるグループにコードワードを割り当てるように第2のProSeエンティティに要求するために使用され、第2のProSeエンティティは、第2の端末のHPLMN内のProSeエンティティであり、また、第2の端末は、第3の端末が位置されるグループのグループ管理装置である。
【０３０１】
受信器1701は、第2のProSeエンティティによって送信される第14のメッセージを受信するように更に構成され、この場合、第14のメッセージはグループコードワードを運ぶ。
【０３０２】
随意的には、グループ識別子は、第3の端末が位置されるグループに対してアプリケーションサーバにより割り当てられる仮識別子であり、また、第3の端末の端末識別子は、アプリケーションサーバによって第3の端末に割り当てられる仮識別子である。
【０３０３】
受信器1701、プロセッサ1702、及び、送信器1703は、相互接続されて、バスを使用することにより相互通信を完了する。
【０３０４】
プロセッサ1702は、CPUであってもよく、又は、CPUとDSPとの組み合わせであってもよい。
【０３０５】
受信器1701及び送信器1703は、アンテナを使用することによって無線信号を送受信する機器であってもよく、又は、信号の送受信インタフェースを与える他の機器であってもよい。
【０３０６】
なお、本発明のこの実施形態で提供される第3のProSeエンティティの機能を実装するための装置における幾つかの機能モジュールの具体的な説明に関しては、方法の実施形態における対応する内容を参照されたく、したがって、本発明のこの実施形態では、詳細が再び説明されない。本発明のこの実施形態で提供される第3のProSeエンティティの機能を実装するための装置は、コアネットワーク内の新たな別個の装置であってもよく、また、ProSeエンティティの機能のみを与え、或いは、第3のProSeエンティティの機能を実装するための装置は、MMEなどのコアネットワーク内の既存の装置に第3のProSeエンティティの機能を付加することによって得られてもよい。
【０３０７】
本発明のこの実施形態で提供される第3のProSeエンティティの機能を実装するための装置によれば、第3のProSeエンティティによって第3の端末に割り当てられる第1のブロードキャストコードワードは、グループコードワードを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０３０８】
本発明の一実施形態は、図4、図5、図6、及び、図7に示される端末発見を実行するように構成される第3の端末を更に提供する。図22に示されるように、第3の端末は、送信器1801、受信器1802、及び、プロセッサ1803を含む。
【０３０９】
送信器1801は、第9のメッセージを第3のProSeエンティティに送信するように構成され、この場合、第9のメッセージは、第3の端末の端末識別子と、第3の端末が位置されるグループのグループ識別子とを運ぶ。
【０３１０】
受信器1802は、第3のProSeエンティティによって送信される第10のメッセージを受信するように構成され、この場合、第10のメッセージは第1のブロードキャストコードワードを運び、また、第1のブロードキャストコードワードは、第3の端末が位置されるグループのグループコードワードと、第3の端末のユーザコードワードとを含む。
【０３１１】
プロセッサ1803は、第1のブロードキャストコードワードをブロードキャストするように構成される。
【０３１２】
随意的には、グループ識別子は、第3の端末が位置されるグループに対してアプリケーションサーバにより割り当てられる仮識別子であり、また、第3の端末の端末識別子は、アプリケーションサーバによって第3の端末に割り当てられる仮識別子である。
【０３１３】
送信器1801、受信器1802、及び、プロセッサ1803は、相互接続されて、バスを使用することにより相互通信を完了する。
【０３１４】
プロセッサ1803は、CPUであってもよく、又は、CPUとDSPとの組み合わせであってもよい。
【０３１５】
送信器1801及び受信器1802は、アンテナを使用することによって無線信号を送受信する機器であってもよく、又は、信号の送受信インタフェースを与える他の機器であってもよい。
【０３１６】
なお、本発明のこの実施形態で提供される第3の端末における幾つかの機能モジュールの具体的な説明に関しては、方法の実施形態における対応する内容を参照されたく、したがって、本発明のこの実施形態では、詳細が再び説明されない。
【０３１７】
本発明のこの実施形態で提供される第3の端末によれば、第3の端末によりブロードキャストされる第1のブロードキャストコードワードは、第3の端末が位置されるグループのグループコードワードと、第3の端末のユーザコードワードとを含む。第1の端末が第3の端末によってブロードキャストされる第1のブロードキャストコードワードを検出できる場合、第1の端末は、フィルタリングにより及びグループコードワードを使用することにより、第3の端末によってブロードキャストされる第1のブロードキャストコードワードを取得できる。第3の端末と同じグループ内にある他の端末もブロードキャスティングを行う場合には、第3の端末と同じグループ内にある他の端末によってブロードキャストされる第1のブロードキャストコードワードもグループコードワードを含む。また、第1の端末は、フィルタリングにより及びグループコードワードを使用することにより、第3の端末と同じグループ内にある他の端末によってブロードキャストされる第1のブロードキャストコードワードも取得でき、また、第1の端末は、複数の第1のブロードキャストコードワードを使用することにより、第1の端末によって検出されるブロードキャストコードワードを1回別々にフィルタリングする必要がない。ブロードキャストコードワードをフィルタリングするプロセスは比較的単純であり、したがって、第1の端末のエネルギー消費を低減することができる。
【０３１８】
実施に関する前述の説明は、便宜のため及び簡単な説明のために、前述の機能モジュールの分割が説明のための一例として使用されることを当業者が理解できるようにする。実際の用途では、要件にしたがって前述の機能を異なる機能モジュールに割り当てて実施することができ、すなわち、前述した機能の全部又は一部を実施するために機器の内部構造が異なる機能モジュールに分けられる。前述のシステム、機器、及び、ユニットの詳細な作業プロセスに関しては、前述の方法実施形態における対応プロセスが参照さあれてもよく、そのため、ここでは再び詳しく説明しない。
【０３１９】
この出願において与えられる幾つかの実施形態では、開示されたシステム、機器、及び、方法が他の態様で実施されてもよいことが理解されるべきである。例えば、記載された機器の実施形態は単なる一例にすぎない。例えば、モジュール又はユニットの分割は、単なる論理的な機能分割にすぎず、実際の実施では他の分割であってもよい。例えば、複数のユニット又は構成要素が組み合わされ或いは他のシステムに組み込まれてもよく、或いは、幾つかの特徴が無視され又は実行されなくてもよい。また、示された或いは論じられた相互の結合又は直接的な結合又は通信接続は、幾つかのインタフェースを使用することにより実施されてもよい。機器間又はユニット間の間接的な結合又は通信接続は、電子的形態、機械的形態、又は、他の形態で実施されてもよい。
【０３２０】
別個の部品として説明されるユニットは、物理的に別個であってもよく又は物理的に別個でなくてもよく、また、ユニットとして示される部品は、物理的なユニットであってもなくてもよく、1つの位置に位置されてもよく、又は、複数のネットワークユニット上に分布されてもよい。ユニットの一部又は全部は、実施形態の解決策の目的を達成するように実際のニーズにしたがって選択されてもよい。
【０３２１】
また、本発明の実施形態における機能ユニットが1つの処理ユニットに組み込まれてもよく、又は、ユニットのそれぞれが物理的に単独で存在してもよく、又は、2つ以上のユニットが1つのユニットに組み込まれてもよい。組み込まれるユニットは、ハードウェアの形態で実装されてもよく、或いは、ソフトウェア機能ユニットの形態で実装されてもよい。
【０３２２】
組み込まれるユニットがソフトウェア機能ユニットの形態で実装されるとともに独立した製品として販売され或いは使用される場合には、組み込まれるユニットがコンピュータ可読記憶媒体に記憶されてもよい。そのような理解に基づき、本質的に本発明の技術的な解決策、或いは、従来技術に寄与する部分、或いは、技術的な解決策の全部又は一部は、ソフトウェアプロダクトの形態で実施されてもよい。ソフトウェアプロダクトは、記憶媒体に記憶されるとともに、本発明の実施形態において記載された方法のステップの全部又は一部を実行するようにコンピュータデバイス（パーソナルコンピュータ、サーバ、又は、ネットワークデバイスであってもよい）又はプロセッサ（processor）に指示するための幾つかの命令を含む。前述の記憶媒体は、プログラムコードを記憶できる任意の媒体、例えば、USBフラッシュドライブ、除去可能なハードディスク、リードオンリーメモリ（ROM、Read−Only Memory）、ランダムアクセスメモリ（RAM、Random Access Memory）、磁気ディスク、或いは、光ディスクを含む。
【０３２３】
以上の説明は、本発明の単なる特定の実施にすぎず、本発明の保護範囲を限定しようとするものではない。本発明で開示される技術的範囲内で当業者により容易に考え出されるいかなる変形又は置換も、本発明の保護範囲内に入るものとする。したがって、本発明の保護範囲は、特許請求項の保護範囲に制約されるものとする。
【符号の説明】
【０３２４】
1101  受信ユニット
1102  取得ユニット
1102a  第1の送信モジュール
1102b  第1の受信モジュール
1102c  第2の送信モジュール
1102d  第2の受信モジュール
1103  送信ユニット
1201  送信ユニット
1202  受信ユニット
1203  フィルタリングユニット
1301  受信ユニット
1302  取得ユニット
1302a  第1の送信モジュール
1302b  第1の受信モジュール
1302c  第2の送信モジュール
1302d  第2の受信モジュール
1303  生成ユニット
1304  送信ユニット
1401  送信ユニット
1402  受信ユニット
1403  ブロードキャストユニット
1501  受信器
1502  プロセッサ
1503  送信器
1601  送信器
1602  受信器
1603  プロセッサ
1701  受信器
1702  プロセッサ
1703  送信器
1801  送信器
1802  受信器
1803  プロセッサ
【図１】
0006474144.tif 000002
【図２】
0006474144.tif 000003
【図３】
0006474144.tif 000004
【図４】
0006474144.tif 000005
【図５】
0006474144.tif 000006
【図６】
0006474144.tif 000007
【図７】
0006474144.tif 000008
【図８】
0006474144.tif 000009
【図９】
0006474144.tif 000010
【図１０】
0006474144.tif 000011
【図１１】
0006474144.tif 000012
【図１２】
0006474144.tif 000013
【図１３】
0006474144.tif 000014
【図１４】
0006474144.tif 000015
【図１５】
0006474144.tif 000016
【図１６】
0006474144.tif 000017
【図１７】
0006474144.tif 000018
【図１８】
0006474144.tif 000019
【図１９】
0006474144.tif 000020
【図２０】
0006474144.tif 000021
【図２１】
0006474144.tif 000022
【図２２】
0006474144.tif 000023